(57)【要約】【課題】  多重数が大きく、情報速度が高速である場合や、伝送速度の可変レート処理を実施する場合でも、符号化部及び復号化部の構成を簡易化できるようにする。【解決手段】  送信データをビット単位に分離して、Ｍ個のビットデータを出力する可変シリアル／パラレル変換部５１の後段に、そのビットデータに対する符号化処理を実施する符号化部５２−１〜５２−Ｍや、符号化処理後のビットデータをビット単位に分離して、Ｎ個のビットデータを出力するＳ／Ｐ部５３−１〜５３−Ｍなどを設ける。【選択図】        図１
2006238016.tif 000002
【特許請求の範囲】
【請求項１】
シリアルデータである送信データをビット単位に分離して、Ｍ個のビットデータを出力する第１のＳ／Ｐ変換手段と、上記第１のＳ／Ｐ変換手段から出力されたビットデータに対する符号化処理を実施するＭ個の符号化処理手段と、上記符号化処理手段による符号化処理後のビットデータをビット単位に分離して、Ｎ個のビットデータを出力するＭ個の第２のＳ／Ｐ変換手段と、複数の直交符号系列の中から、上記第２のＳ／Ｐ変換手段から出力されたＮ個のビットデータに対応する直交符号系列を選択するＭ個の直交符号選択手段と、上記直交符号選択手段により選択された直交符号系列をスペクトル拡散変調し、そのスペクトル拡散変調信号に相互に異なる遅延量を与えるＭ個の遅延手段と、上記Ｍ個の遅延手段により遅延量が与えられたスペクトル拡散変調信号を合成して多重スペクトル拡散変調信号を出力する合成手段と、上記合成手段から出力された多重スペクトル拡散変調信号を無線周波数信号に変換して送信する送信手段とを備えたスペクトル拡散通信装置。
【請求項２】
シリアルデータである送信データをビット単位に分離して、Ｊ個のビットデータを出力する第１のＳ／Ｐ変換手段と、上記第１のＳ／Ｐ変換手段から出力されたビットデータに対する符号化処理を実施するＪ個の符号化処理手段と、上記符号化処理手段による符号化処理後のビットデータをビット単位に分離して、（Ｎ×Ｈ）個のビットデータを出力するＪ個の第２のＳ／Ｐ変換手段と、複数の直交符号系列の中から、上記第２のＳ／Ｐ変換手段から出力された（Ｎ×Ｈ）個のビットデータに対応する直交符号系列を選択するＭ（＝Ｈ×Ｊ）個の直交符号選択手段と、上記直交符号選択手段により選択された直交符号系列をスペクトル拡散変調し、そのスペクトル拡散変調信号に相互に異なる遅延量を与えるＭ個の遅延手段と、上記Ｍ個の遅延手段により遅延量が与えられたスペクトル拡散変調信号を合成して多重スペクトル拡散変調信号を出力する合成手段と、上記合成手段から出力された多重スペクトル拡散変調信号を無線周波数信号に変換して送信する送信手段とを備えたスペクトル拡散通信装置。
【請求項３】
シリアルデータである送信データをビット単位に分離して、Ｍ個のビットデータを出力する第１のＳ／Ｐ変換手段と、上記第１のＳ／Ｐ変換手段から出力されたビットデータに対する符号化処理を実施するＭ個の符号化処理手段と、上記符号化処理手段による符号化処理後のビットデータをビット単位に分離して、Ｎ個のビットデータを出力するＭ個の第２のＳ／Ｐ変換手段と、複数の直交符号系列の中から、上記第２のＳ／Ｐ変換手段から出力されたＮ個のビットデータに対応する直交符号系列を選択するＭ個の直交符号選択手段と、上記直交符号選択手段により選択された直交符号系列をスペクトル拡散変調し、そのスペクトル拡散変調信号に相互に異なる周波数偏差を与えるＭ個の周波数偏差付与手段と、上記Ｍ個の周波数偏差付与手段により周波数偏差が与えられたスペクトル拡散変調信号を合成して多重スペクトル拡散変調信号を出力する合成手段と、上記合成手段から出力された多重スペクトル拡散変調信号を無線周波数信号に変換して送信する送信手段とを備えたスペクトル拡散通信装置。
【請求項４】
シリアルデータである送信データをビット単位に分離して、Ｍ個のビットデータを出力する第１のＳ／Ｐ変換手段と、上記第１のＳ／Ｐ変換手段から出力されたビットデータに対する符号化処理を実施するＭ個の符号化処理手段と、上記符号化処理手段による符号化処理後のビットデータをビット単位に分離して、Ｎ個のビットデータを出力するＭ個の第２のＳ／Ｐ変換手段と、複数の拡散符号系列の中から、上記第２のＳ／Ｐ変換手段から出力されたＮ個のビットデータに対応する拡散符号系列を選択するＭ個の拡散符号選択手段と、上記拡散符号選択手段により選択された拡散符号系列に相互に異なる遅延量を与えるＭ個の遅延手段と、上記Ｍ個の遅延手段により遅延量が与えられた拡散符号系列を合成して多重スペクトル拡散変調信号を出力する合成手段と、上記合成手段から出力された多重スペクトル拡散変調信号を無線周波数信号に変換して送信する送信手段とを備えたスペクトル拡散通信装置。
【請求項５】
Ｍ個の遅延手段は、Ｍ個のスペクトル拡散変調信号の同相多重数が略均等になるように、当該スペクトル拡散変調信号に移相量を与えることを特徴とする請求項１、請求項２または請求項４記載のスペクトル拡散通信装置。
【請求項６】
対向側のスペクトル拡散通信装置から送信された無線周波数信号を受信し、その無線周波数信号をベースバンド信号に変換する受信手段と、上記受信手段から出力されたベースバンド信号を復調してフレームデータを出力する復調手段と、上記復調手段から出力されたフレームデータに含まれている受信データを抽出するとともに、スペクトル拡散変調信号の多重数と直交符号系列又は拡散符号系列の個数を示す制御情報を抽出する情報抽出手段と、上記情報抽出手段により抽出された制御情報を送信データに付加する一方、その制御情報にしたがって複数の直交符号系列又は拡散符号系列を決定してＭ個の直交符号選択手段又は拡散符号選択手段に出力するマルチレート決定手段とを設けたことを特徴とする請求項１から請求項５のうちのいずれか１項記載のスペクトル拡散通信装置。
【請求項７】
対向側のスペクトル拡散通信装置から送信された無線周波数信号を受信し、その無線周波数信号をベースバンド信号に変換する受信手段と、上記受信手段から出力されたベースバンド信号を復調してフレームデータを出力する復調手段と、上記受信手段から出力されたベースバンド信号よりパイロット変調信号を抽出して復調するパイロット信号抽出手段と、上記パイロット信号抽出手段により復調されたパイロット信号からスペクトル拡散変調信号の多重数と直交符号系列又は拡散符号系列の個数を示す制御情報を抽出し、その制御情報にしたがって複数の直交符号系列又は拡散符号系列を決定してＭ個の直交符号選択手段又は拡散符号選択手段に出力するマルチレート決定手段と、上記パイロット信号抽出手段により復調されたパイロット信号に含まれている制御情報をスペクトル拡散変調し、その変調信号をパイロット変調信号として合成手段に出力して、そのパイロット変調信号を多重スペクトル拡散変調信号に合成させるパイロット変調手段とを設けたことを特徴とする請求項１から請求項５のうちのいずれか１項記載のスペクトル拡散通信装置。
【請求項８】
パイロット変調手段は、自装置の姿勢及び位置を検出し、その検出信号と制御情報からなる系列をスペクトル拡散変調することを特徴とする請求項７記載のスペクトル拡散通信装置。
【請求項９】
対向側のスペクトル拡散通信装置から送信された無線周波数信号を受信し、その無線周波数信号をベースバンド信号に変換する受信手段と、上記受信手段から出力されたベースバンド信号を復調してフレームデータを出力する復調手段と、上記受信手段から出力されたベースバンド信号よりパイロット変調信号を抽出して復調するパイロット信号抽出手段と、上記パイロット信号抽出手段により復調されたパイロット信号に含まれている回線品質情報からスペクトル拡散変調信号の多重数と直交符号系列又は拡散符号系列を決定してＭ個の直交符号選択手段又は拡散符号選択手段に出力するマルチレート決定手段と、上記パイロット信号抽出手段により復調されたパイロット信号に含まれている制御情報をスペクトル拡散変調し、その変調信号をパイロット変調信号として合成手段に出力して、そのパイロット変調信号を多重スペクトル拡散変調信号に合成させるパイロット変調手段とを設けたことを特徴とする請求項１から請求項５のうちのいずれか１項記載のスペクトル拡散通信装置。
【請求項１０】
対向側のスペクトル拡散通信装置から送信された無線周波数信号を受信し、その無線周波数信号を多重スペクトル拡散変調信号に変換する受信手段と、上記受信手段から出力された多重スペクトル拡散変調信号を分配して、Ｍ個のスペクトル拡散変調信号を出力する分配手段と、上記分配手段により分配されたＭ個のスペクトル拡散変調信号の遅延量が同じになるように、当該スペクトル拡散変調信号の遅延量を補正するＭ個の補正手段と、上記補正手段による補正後のスペクトル拡散変調信号と複数の直交符号系列との相関処理を実施して、その相関信号を出力するＭ個の相関処理手段と、上記相関処理手段から出力された相関信号を用いて復号化処理を実施して、Ｎビットの復号データを出力するＭ個の復号化処理手段と、上記Ｍ個の復号化処理手段から出力されたＮビットの復号データをシリアルデータに変換するＰ／Ｓ変換手段とを備えたスペクトル拡散通信装置。
【請求項１１】
対向側のスペクトル拡散通信装置から送信された無線周波数信号を受信し、その無線周波数信号を多重スペクトル拡散変調信号に変換する受信手段と、上記受信手段から出力された多重スペクトル拡散変調信号を分配して、Ｍ（＝Ｈ×Ｊ）個のスペクトル拡散変調信号を出力する分配手段と、上記分配手段により分配されたＭ個のスペクトル拡散変調信号の遅延量が同じになるように、当該スペクトル拡散変調信号の遅延量を補正するＭ個の補正手段と、上記補正手段による補正後のスペクトル拡散変調信号と複数の直交符号系列との相関処理を実施して、その相関信号を出力するＭ個の相関処理手段と、上記相関処理手段から出力された相関信号の系列をシリアルデータに変換するＪ個の第１のＰ／Ｓ変換手段と、上記第１のＰ／Ｓ変換手段から出力されたシリアルデータを用いて復号化処理を実施して、Ｎビットの復号データを出力するＪ個の復号化処理手段と、上記Ｊ個の復号化処理手段から出力されたＮビットの復号データをシリアルデータに変換する第２のＰ／Ｓ変換手段とを備えたスペクトル拡散通信装置。
【請求項１２】
対向側のスペクトル拡散通信装置から送信された無線周波数信号を受信し、その無線周波数信号を多重スペクトル拡散変調信号に変換する受信手段と、上記受信手段から出力された多重スペクトル拡散変調信号を分配して、Ｍ個のスペクトル拡散変調信号を出力する分配手段と、上記分配手段により分配されたＭ個のスペクトル拡散変調信号の周波数偏差が同じになるように、当該スペクトル拡散変調信号の周波数偏差を補正するＭ個の補正手段と、上記補正手段による補正後のスペクトル拡散変調信号と複数の直交符号系列との相関処理を実施して、その相関信号を出力するＭ個の相関処理手段と、上記相関処理手段から出力された相関信号を用いて復号化処理を実施して、Ｎビットの復号データを出力するＭ個の復号化処理手段と、上記Ｍ個の復号化処理手段から出力されたＮビットの復号データをシリアルデータに変換するＰ／Ｓ変換手段とを備えたスペクトル拡散通信装置。
【請求項１３】
対向側のスペクトル拡散通信装置から送信された無線周波数信号を受信し、その無線周波数信号を多重スペクトル拡散変調信号に変換する受信手段と、上記受信手段から出力された多重スペクトル拡散変調信号を分配して、Ｍ個のスペクトル拡散変調信号を出力する分配手段と、上記分配手段により分配されたＭ個のスペクトル拡散変調信号の遅延量が同じになるように、当該スペクトル拡散変調信号の遅延量を補正するＭ個の補正手段と、上記補正手段による補正後のスペクトル拡散変調信号と複数の拡散符号系列との相関処理を実施して、その相関信号を出力するＭ個の相関処理手段と、上記相関処理手段から出力された相関信号を用いて復号化処理を実施して、Ｎビットの復号データを出力するＭ個の復号化処理手段と、上記Ｍ個の復号化処理手段から出力されたＮビットの復号データをシリアルデータに変換するＰ／Ｓ変換手段とを備えたスペクトル拡散通信装置。
【請求項１４】
Ｍ個の補正手段は、Ｍ個のスペクトル拡散変調信号が同相になるように、当該スペクトル拡散変調信号の移相量を補正することを特徴とする請求項１０、請求項１１または請求項１３記載のスペクトル拡散通信装置。
【請求項１５】
Ｐ／Ｓ変換手段により変換されたシリアルデータから無線周波数信号の回線品質を測定し、その回線品質に応じてスペクトル拡散変調信号の多重数と直交符号系列又は拡散符号系列の個数を決定するマルチレート制御手段と、上記マルチレート制御手段により決定されたスペクトル拡散変調信号の多重数と直交符号系列又は拡散符号系列の個数を示す制御情報を送信データに付加して変調する変調手段と、上記変調手段から出力された変調信号を無線周波数信号に変換して送信する送信手段とを設けたことを特徴とする請求項１０から請求項１４のうちのいずれか１項記載のスペクトル拡散通信装置。
【請求項１６】
相関処理手段の相関処理結果から相関ピーク数を検出し、その相関ピーク数からスペクトル拡散変調信号の多重数を決定するマルチレート制御手段と、上記マルチレート制御手段により決定されたスペクトル拡散変調信号の多重数を示す制御情報を送信データに付加して変調する変調手段と、上記変調手段から出力された変調信号を無線周波数信号に変換して送信する送信手段とを設けたことを特徴とする請求項１０から請求項１４のうちのいずれか１項記載のスペクトル拡散通信装置。
【請求項１７】
受信手段から出力された多重スペクトル拡散変調信号よりパイロット変調信号を抽出して復調し、そのパイロット信号から無線周波数信号の回線品質を測定し、その回線品質に応じてスペクトル拡散変調信号の多重数と直交符号系列又は拡散符号系列の個数を決定するマルチレート制御手段と、上記マルチレート制御手段により決定されたスペクトル拡散変調信号の多重数と直交符号系列又は拡散符号系列の個数を示す制御情報を変調するとともに、その変調信号であるパイロット変調信号を送信データの変調信号に多重化して出力する変調手段と、上記変調手段から出力された変調信号を無線周波数信号に変換して送信する送信手段とを設けたことを特徴とする請求項１０から請求項１４のうちのいずれか１項記載のスペクトル拡散通信装置。
【請求項１８】
マルチレート制御手段は、対向側のスペクトル拡散通信装置の姿勢及び位置を示す検出信号がパイロット信号に含まれている場合、その姿勢と位置を考慮してスペクトル拡散変調信号の多重数と直交符号系列又は拡散符号系列の個数を決定することを特徴とする請求項１７記載のスペクトル拡散通信装置。
【請求項１９】
受信手段から出力された多重スペクトル拡散変調信号よりパイロット変調信号を抽出して復調し、そのパイロット信号からスペクトル拡散変調信号の多重数と直交符号系列又は拡散符号系列の個数を示す制御情報を抽出するパイロット復調手段と、上記パイロット復調手段により復調されたパイロット信号から無線周波数信号の回線品質を測定する回線品質測定手段と、上記パイロット復調手段により抽出された制御情報と上記回線品質測定手段により測定された回線品質を示す回線品質情報を変調するとともに、その変調信号であるパイロット変調信号を送信データの変調信号に多重化して出力する変調手段と、上記変調手段から出力された変調信号を無線周波数信号に変換して送信する送信手段とを設けたことを特徴とする請求項１０から請求項１４のうちのいずれか１項記載のスペクトル拡散通信装置。
【請求項２０】
シリアルデータである送信データをビット単位に分離して、Ｍ個のビットデータを出力する第１のＳ／Ｐ変換手段と、上記第１のＳ／Ｐ変換手段から出力されたビットデータに対する符号化処理を実施するＭ個の符号化処理手段と、上記符号化処理手段による符号化処理後のビットデータをビット単位に分離して、Ｎ個のビットデータを出力するＭ個の第２のＳ／Ｐ変換手段と、複数の直交符号系列の中から、上記第２のＳ／Ｐ変換手段から出力されたＮ個のビットデータに対応する直交符号系列を選択するＭ個の直交符号選択手段と、上記直交符号選択手段により選択された直交符号系列をスペクトル拡散変調し、そのスペクトル拡散変調信号に相互に異なる遅延量を与えるＭ個の遅延手段と、上記Ｍ個の遅延手段により遅延量が与えられたスペクトル拡散変調信号を合成して多重スペクトル拡散変調信号を出力する合成手段と、上記合成手段から出力された多重スペクトル拡散変調信号を無線周波数信号に変換して送信する送信手段とを有する第１のスペクトル拡散通信装置と、上記第１のスペクトル拡散通信装置から送信された無線周波数信号を受信し、その無線周波数信号を多重スペクトル拡散変調信号に変換する受信手段と、上記受信手段から出力された多重スペクトル拡散変調信号を分配して、Ｍ個のスペクトル拡散変調信号を出力する分配手段と、上記分配手段により分配されたＭ個のスペクトル拡散変調信号の遅延量が同じになるように、当該スペクトル拡散変調信号の遅延量を補正するＭ個の補正手段と、上記補正手段による補正後のスペクトル拡散変調信号と複数の直交符号系列との相関処理を実施して、その相関信号を出力するＭ個の相関処理手段と、上記相関処理手段から出力された相関信号を用いて復号化処理を実施して、Ｎビットの復号データを出力するＭ個の復号化処理手段と、上記Ｍ個の復号化処理手段から出力されたＮビットの復号データをシリアルデータに変換するＰ／Ｓ変換手段とを有する第２のスペクトル拡散通信装置とを備えた通信システム。
【請求項２１】
シリアルデータである送信データをビット単位に分離して、Ｊ個のビットデータを出力する第１のＳ／Ｐ変換手段と、上記第１のＳ／Ｐ変換手段から出力されたビットデータに対する符号化処理を実施するＪ個の符号化処理手段と、上記符号化処理手段による符号化処理後のビットデータをビット単位に分離して、（Ｎ×Ｈ）個のビットデータを出力するＪ個の第２のＳ／Ｐ変換手段と、複数の直交符号系列の中から、上記第２のＳ／Ｐ変換手段から出力された（Ｎ×Ｈ）個のビットデータに対応する直交符号系列を選択するＭ（＝Ｈ×Ｊ）個の直交符号選択手段と、上記直交符号選択手段により選択された直交符号系列をスペクトル拡散変調し、そのスペクトル拡散変調信号に相互に異なる遅延量を与えるＭ個の遅延手段と、上記Ｍ個の遅延手段により遅延量が与えられたスペクトル拡散変調信号を合成して多重スペクトル拡散変調信号を出力する合成手段と、上記合成手段から出力された多重スペクトル拡散変調信号を無線周波数信号に変換して送信する送信手段とを有する第１のスペクトル拡散通信装置と、上記第１のスペクトル拡散通信装置から送信された無線周波数信号を受信し、その無線周波数信号を多重スペクトル拡散変調信号に変換する受信手段と、上記受信手段から出力された多重スペクトル拡散変調信号を分配して、Ｍ個のスペクトル拡散変調信号を出力する分配手段と、上記分配手段により分配されたＭ個のスペクトル拡散変調信号の遅延量が同じになるように、当該スペクトル拡散変調信号の遅延量を補正するＭ個の補正手段と、上記補正手段による補正後のスペクトル拡散変調信号と複数の直交符号系列との相関処理を実施して、その相関信号を出力するＭ個の相関処理手段と、上記相関処理手段から出力された相関信号の系列をシリアルデータに変換するＪ個の第１のＰ／Ｓ変換手段と、上記第１のＰ／Ｓ変換手段から出力されたシリアルデータを用いて復号化処理を実施して、Ｎビットの復号データを出力するＪ個の復号化処理手段と、上記Ｊ個の復号化処理手段から出力されたＮビットの復号データをシリアルデータに変換する第２のＰ／Ｓ変換手段とを有する第２のスペクトル拡散通信装置とを備えた通信システム。
【請求項２２】
シリアルデータである送信データをビット単位に分離して、Ｍ個のビットデータを出力する第１のＳ／Ｐ変換手段と、上記第１のＳ／Ｐ変換手段から出力されたビットデータに対する符号化処理を実施するＭ個の符号化処理手段と、上記符号化処理手段による符号化処理後のビットデータをビット単位に分離して、Ｎ個のビットデータを出力するＭ個の第２のＳ／Ｐ変換手段と、複数の直交符号系列の中から、上記第２のＳ／Ｐ変換手段から出力されたＮ個のビットデータに対応する直交符号系列を選択するＭ個の直交符号選択手段と、上記直交符号選択手段により選択された直交符号系列をスペクトル拡散変調し、そのスペクトル拡散変調信号に相互に異なる周波数偏差を与えるＭ個の周波数偏差付与手段と、上記Ｍ個の周波数偏差付与手段により周波数偏差が与えられたスペクトル拡散変調信号を合成して多重スペクトル拡散変調信号を出力する合成手段と、上記合成手段から出力された多重スペクトル拡散変調信号を無線周波数信号に変換して送信する送信手段とを有する第１のスペクトル拡散通信装置と、上記第１のスペクトル拡散通信装置から送信された無線周波数信号を受信し、その無線周波数信号を多重スペクトル拡散変調信号に変換する受信手段と、上記受信手段から出力された多重スペクトル拡散変調信号を分配して、Ｍ個のスペクトル拡散変調信号を出力する分配手段と、上記分配手段により分配されたＭ個のスペクトル拡散変調信号の周波数偏差が同じになるように、当該スペクトル拡散変調信号の周波数偏差を補正するＭ個の補正手段と、上記補正手段による補正後のスペクトル拡散変調信号と複数の直交符号系列との相関処理を実施して、その相関信号を出力するＭ個の相関処理手段と、上記相関処理手段から出力された相関信号を用いて復号化処理を実施して、Ｎビットの復号データを出力するＭ個の復号化処理手段と、上記Ｍ個の復号化処理手段から出力されたＮビットの復号データをシリアルデータに変換するＰ／Ｓ変換手段とを有する第２のスペクトル拡散通信装置とを備えた通信システム。
【請求項２３】
シリアルデータである送信データをビット単位に分離して、Ｍ個のビットデータを出力する第１のＳ／Ｐ変換手段と、上記第１のＳ／Ｐ変換手段から出力されたビットデータに対する符号化処理を実施するＭ個の符号化処理手段と、上記符号化処理手段による符号化処理後のビットデータをビット単位に分離して、Ｎ個のビットデータを出力するＭ個の第２のＳ／Ｐ変換手段と、複数の拡散符号系列の中から、上記第２のＳ／Ｐ変換手段から出力されたＮ個のビットデータに対応する拡散符号系列を選択するＭ個の拡散符号選択手段と、上記拡散符号選択手段により選択された拡散符号系列に相互に異なる遅延量を与えるＭ個の遅延手段と、上記Ｍ個の遅延手段により遅延量が与えられた拡散符号系列を合成して多重スペクトル拡散変調信号を出力する合成手段と、上記合成手段から出力された多重スペクトル拡散変調信号を無線周波数信号に変換して送信する送信手段とを有する第１のスペクトル拡散通信装置と、上記第１のスペクトル拡散通信装置から送信された無線周波数信号を受信し、その無線周波数信号を多重スペクトル拡散変調信号に変換する受信手段と、上記受信手段から出力された多重スペクトル拡散変調信号を分配して、Ｍ個のスペクトル拡散変調信号を出力する分配手段と、上記分配手段により分配されたＭ個のスペクトル拡散変調信号の遅延量が同じになるように、当該スペクトル拡散変調信号の遅延量を補正するＭ個の補正手段と、上記補正手段による補正後のスペクトル拡散変調信号と複数の拡散符号系列との相関処理を実施して、その相関信号を出力するＭ個の相関処理手段と、上記相関処理手段から出力された相関信号を用いて復号化処理を実施して、Ｎビットの復号データを出力するＭ個の復号化処理手段と、上記Ｍ個の復号化処理手段から出力されたＮビットの復号データをシリアルデータに変換するＰ／Ｓ変換手段とを有する第２のスペクトル拡散通信装置とを備えた通信システム。
【発明の詳細な説明】
【技術分野】
【０００１】
この発明は、直接拡散（ＤＳ：Ｄｉｒｅｃｔ  Ｓｅｑｕｅｎｃｅ）方式によるスペクトル拡散変調を実施し、そのスペクトル拡散変調信号の多重数を可変にして、伝送速度をマルチレート化して送信する移動局におけるスペクトル拡散通信装置と、移動局におけるスペクトル拡散通信装置から送信されたスペクトル拡散変調信号を多重数に対応させて復調する基地局におけるスペクトル拡散通信装置と、移動局におけるスペクトル拡散通信装置と基地局におけるスペクトル拡散通信装置がデータを送受信する通信システムとに関するものである。
【背景技術】
【０００２】
近年、移動体通信システムや衛星通信システムでは、画像、音声、データなど、種類の異なる情報信号を伝送する方式の一つとしてスペクトル拡散通信方式を用いた符号分割多元接続（ＣＤＭＡ）通信方式が実用化されている。
スペクトル拡散通信方式には、ＤＳ方式や周波数ホッピング（ＦＨ：Ｆｒｅｑｕｅｎｃｙ  Ｈｏｐｐｉｎｇ）方式などがある。このうち、ＤＳ方式は、情報信号に比べて遥かに広帯域の拡散符号系列を情報信号に直接乗算し、これによって情報信号をスペクトル拡散して通信を行う方式である。
【０００３】
ＤＳ方式を利用して、情報信号の伝送速度を可変にしてマルチレート通信を実現するスペクトル拡散通信装置が存在する。
従来の移動局におけるスペクトル拡散通信装置は、まず、Ｋビットのシリアルデータである送信データの系列をビット単位に分離して、Ｋ個のビットデータを生成する。
そして、Ｋ個のビットデータにそれぞれ拡散符号系列を乗算することにより、Ｋ個のビットデータを広帯域にスペクトル拡散変調してＫ個のスペクトル拡散変調信号を生成し、Ｋ個のスペクトル拡散変調信号を相互に異なる遅延時間だけ遅延させてから合成して多重スペクトル拡散変調信号を生成する。
そして、多重スペクトル拡散変調信号を無線周波数信号に変換し、その無線周波数信号を電力増幅して基地局におけるスペクトル拡散通信装置に送信する（例えば、特許文献１参照）。
【０００４】
【特許文献１】特開平９−５５７１４号公報
【発明の開示】
【発明が解決しようとする課題】
【０００５】
従来のスペクトル拡散通信装置は以上のように構成されているので、シリアルデータをパラレルデータに変換する前に、符号化部が誤り訂正処理等の符号化処理を実施し、パラレルデータをシリアルデータに変換する前に、復号化部が復号化処理を実施する。このため、多重数が大きく、情報速度が高速になると、符号化部及び復号化部の動作の高速化が要求される。また、多重数を可変にして、情報速度のマルチレート化を実現する場合、符号化部及び復号化部の動作も可変動作が要求される。したがって、符号化部及び復号化部が高速動作や可変動作に対応する機能を実装する必要が生じ、回路が複雑化するなどの課題があった。
【０００６】
この発明は上記のような課題を解決するためになされたもので、多重数が大きく、情報速度が高速である場合や、伝送速度の可変レート処理を実施する場合でも、符号化部及び復号化部の構成を簡易化することができるスペクトル拡散通信装置及び通信システムを得ることを目的とする。
【課題を解決するための手段】
【０００７】
この発明に係るスペクトル拡散通信装置は、シリアルデータである送信データをビット単位に分離して、Ｍ個のビットデータを出力する第１のＳ／Ｐ変換手段の後段に、第１のＳ／Ｐ変換手段から出力されたビットデータに対する符号化処理を実施するＭ個の符号化処理手段と、符号化処理後のビットデータをビット単位に分離して、Ｎ個のビットデータを出力するＭ個の第２のＳ／Ｐ変換手段と、複数の直交符号系列の中からＮ個のビットデータに対応する直交符号系列を選択するＭ個の直交符号選択手段と、その直交符号系列をスペクトル拡散変調し、そのスペクトル拡散変調信号に相互に異なる遅延量を与えるＭ個の遅延手段とを設け、Ｍ個の遅延手段により遅延量が与えられたスペクトル拡散変調信号を合成して多重スペクトル拡散変調信号を生成するようにしたものである。
【発明の効果】
【０００８】
この発明によれば、シリアルデータである送信データをビット単位に分離して、Ｍ個のビットデータを出力する第１のＳ／Ｐ変換手段の後段に、第１のＳ／Ｐ変換手段から出力されたビットデータに対する符号化処理を実施するＭ個の符号化処理手段と、符号化処理後のビットデータをビット単位に分離して、Ｎ個のビットデータを出力するＭ個の第２のＳ／Ｐ変換手段と、複数の直交符号系列の中からＮ個のビットデータに対応する直交符号系列を選択するＭ個の直交符号選択手段と、その直交符号系列をスペクトル拡散変調し、そのスペクトル拡散変調信号に相互に異なる遅延量を与えるＭ個の遅延手段とを設け、Ｍ個の遅延手段により遅延量が与えられたスペクトル拡散変調信号を合成して多重スペクトル拡散変調信号を生成するように構成したので、Ｍ個のスペクトル拡散変調信号を合成するだけで、Ｎ×Ｍ個のビットデータを送信することができるとともに、送信データをＭ個に分割する前に符号化処理を行う場合と比較して、その符号化処理の処理速度を１／Ｍ倍とすることができる効果がある。また、伝送速度の可変レート処理を実施する場合でも、固定レートの符号化処理手段を多重数分だけ用意すれば足りるため、符号化処理手段の構成を簡易化することができる効果がある。
【発明を実施するための最良の形態】
【０００９】
実施の形態１．
図１はこの発明の実施の形態１による通信システムを示す構成図であり、図において、通信システムは移動局１におけるスペクトル拡散通信装置（第１のスペクトル拡散通信装置）と基地局２におけるスペクトル拡散通信装置（第２のスペクトル拡散通信装置）から構成されている。
移動局１の受信部１２はアンテナ１１が基地局２から送信された無線周波数信号を受信すると、その無線周波数信号をベースバンド信号に変換する受信手段を構成している。
移動局１の復調部１３は受信部１２から出力されたベースバンド信号を復調して受信フレームデータを出力する復調手段を構成している。
移動局１の情報分離部１４は復調部１３から出力された受信フレームデータに含まれている受信データを抽出するとともに、スペクトル拡散変調信号の多重数Ｍと直交符号系列の個数２N及び符号化率Ｒを示す制御情報を抽出する情報抽出手段を構成している。
移動局１のマルチレート制御部１５は情報分離部１４により抽出された制御情報にしたがって２N個の直交符号系列を決定し、２N個の直交符号系列とスペクトル拡散変調信号の多重数Ｍ及び符号化率Ｒをマルチレート変調部１７に出力する。
移動局１の情報付加部１６はマルチレート制御部１５から出力された制御情報を送信データに付加してマルチレート変調部１７に出力する。なお、マルチレート制御部１５及び情報付加部１６からマルチレート決定手段が構成されている。
【００１０】
移動局１のマルチレート変調部１７は情報付加部１６により制御情報が付加された送信データであるシリアルデータのうち、Ｍビットをパラレルデータに変換してＭ個のスペクトル拡散変調信号を生成し、Ｍ個のスペクトル拡散変調信号を合成して多重スペクトル拡散変調信号を出力する。
移動局１の送信部１８はマルチレート変調部１７から出力された多重スペクトル拡散変調信号を無線周波数信号に変換してアンテナ１１から送信する送信手段を構成している。
【００１１】
基地局２の受信部２２はアンテナ２１が移動局１から送信された無線周波数信号を受信すると、その無線周波数信号を多重スペクトル拡散変調信号に変換する受信手段を構成している。
基地局２のマルチレート復調部２３は受信部２２から出力された多重スペクトル拡散変調信号を入力してＮビットの復号データをＭ個出力し、Ｋ（＝Ｎ×Ｍ）ビットの復号データをシリアルデータに変換して出力する。
【００１２】
基地局２の情報分離部２４はマルチレート復調部２３から出力されたシリアルデータである受信フレームデータを受信データと制御情報に分離する。
基地局２の回線品質測定部２５はマルチレート復調部２３から出力された回線品質測定用の受信情報から無線周波数信号の回線品質を測定する。
基地局２の伝送速度判定部２６は回線品質測定部２５により測定された回線品質と情報分離部２４により分離された制御情報を参照して、基地局２側で所要の伝送品質を満足することができる移動局１の送信側の伝送速度の最大値を判別する。
基地局２のマルチレート制御部２７は伝送速度判定部２６により判別された伝送速度の最大値からスペクトル拡散変調信号の多重数Ｍと直交符号系列の個数２N及び符号化率Ｒを決定するとともに、２N個の直交符号系列を決定する。なお、情報分離部２４、回線品質測定部２５、伝送速度判定部２６及びマルチレート制御部２７からマルチレート制御手段が構成されている。
【００１３】
基地局２の情報付加部２８はマルチレート制御部２７により決定されたスペクトル拡散変調信号の多重数Ｍと直交符号系列の個数２N及び符号化率Ｒを示す制御情報を送信データに付加する。
基地局２の変調部２９は情報付加部２８により制御情報が付加された送信データを変調する。なお、情報付加部２８及び変調部２９から変調手段が構成されている。
基地局２の送信部３０は変調部２９から出力された変調信号を無線周波数信号に変換してアンテナ２１から送信する送信手段を構成している。
【００１４】
図２はこの発明の実施の形態１による移動局１におけるスペクトル拡散通信装置の要部詳細を示す構成図であり、図において、マルチレート制御部１５の多重数制御部４１は情報分離部１４により抽出された制御情報が示すスペクトル拡散変調信号の多重数Ｍを情報付加部１６、可変シリアル／パラレル変換部５１及び多重数可変合成部５９に出力する。
マルチレート制御部１５の直交符号数制御部４２は情報分離部１４により抽出された制御情報が示す直交符号系列の個数２Nから２N個の直交符号系列を決定し、２N個の直交符号系列の系列情報及び系列数を直交符号選択部５４−１〜５４−Ｍ及びＳ／Ｐ部５３−１〜５３−Ｍに出力する。
マルチレート制御部１５の符号化率制御部４３は情報分離部１４により抽出された制御情報が示す符号化率Ｒを符号化部５２−１〜５２−Ｍ及び情報付加部１６に出力する。
【００１５】
マルチレート変調部１７の可変シリアル／パラレル変換部５１は情報付加部１６により制御情報が付加された送信データであるシリアルデータをＭビットに分離したビットデータとして出力する第１のＳ／Ｐ変換手段を構成している。
マルチレート変調部１７の符号化部５２−１〜５２−Ｍは可変シリアル／パラレル変換部５１から出力されたＭビットに分離されたそれぞれのビットデータに対して、符号化率Ｒに対応する誤り訂正のための符号化処理を行う符号化処理手段を構成している。
マルチレート変調部１７のＳ／Ｐ部５３−１〜５３−Ｍは符号化部５２−１〜５２−Ｍから出力された符号化処理後のシリアルデータをＮビットのビットデータに変換する第２のＳ／Ｐ変換手段を構成している。
マルチレート変調部１７の直交符号選択部５４−１〜５４−ＭはＳ／Ｐ部５３−１〜５３−Ｍから出力されたＮ個のビットデータを入力し、２N個の直交符号系列の中からＮ個のビットデータの系列に対応する直交符号系列を選択する直交符号選択手段を構成している。
【００１６】
マルチレート変調部１７の拡散符号発生部５５はチップ周期がＴｃで、符号長がＧである拡散符号系列を繰り返し出力する。
マルチレート変調部１７の拡散変調部５６−１〜５６−Ｍは直交符号選択部５４−１〜５４−Ｍにより選択された直交符号系列に、拡散符号発生部５５から出力される拡散符号系列を乗算して、乗算後の直交符号系列をスペクトル拡散変調する。
マルチレート変調部１７の遅延生成部５７−１〜５７−Ｍは拡散変調部５６−１〜５６−Ｍから出力されたスペクトル拡散変調信号に相互に異なる遅延量を与える。
マルチレート変調部１７の移相部５８−１〜５８−ＭはＭ個のスペクトル拡散変調信号の同相多重数が略均等になるように、当該スペクトル拡散変調信号に移相量を与える。なお、拡散符号発生部５５、拡散変調部５６−１〜５６−Ｍ、遅延生成部５７−１〜５７−Ｍ及び移相部５８−１〜５８−Ｍから遅延手段が構成されている。
マルチレート変調部１７の多重数可変合成部５９は移相部５８−１〜５８−Ｍから出力されたスペクトル拡散変調信号を合成して多重スペクトル拡散変調信号を出力する合成手段を構成している。
【００１７】
送信部１８の周波数変換部６１はマルチレート変調部１７から出力された多重スペクトル拡散変調信号を無線周波数信号に変換する。
送信部１８の電力増幅部６２は周波数変換部６１から出力された無線周波数信号の電力を増幅してアンテナ１１に出力する。
【００１８】
図３はこの発明の実施の形態１による基地局２におけるスペクトル拡散通信装置の要部詳細を示す構成図であり、図において、受信部２２の低雑音増幅部７１はアンテナ２１が移動局１から送信された無線周波数信号を受信すると、その無線周波数信号の電力を増幅する。
受信部２２の周波数変換部７２は電力増幅後の無線周波数信号の周波数を変換する。
受信部２２の直交検波部７３は周波数変換後の無線周波数信号に対する直交検波を実施して、Ｉチャネル及びＱチャネルの受信ベースバンド信号（多重スペクトル拡散変調信号）を出力する。
【００１９】
マルチレート復調部２３の初期捕捉部８１は受信部２２から出力されたＩチャネル及びＱチャネルの受信ベースバンド信号に対して初期捕捉処理を実施し、移動局１の拡散変調部５６−１〜５６−Ｍにより乗算された拡散符号系列の符号同期タイミングを獲得する。
マルチレート復調部２３の拡散符号発生部８２は初期捕捉部８１から出力された符号同期タイミングに同期して、移動局１の拡散符号発生部５５から出力される拡散符号系列と同一の拡散符号系列（チップ周期がＴｃ、符号長がＧである拡散符号系列）を出力する。
【００２０】
マルチレート復調部２３の多重数可変分配部８３は受信部２２から出力されたＩチャネル及びＱチャネルの受信ベースバンド信号を多重スペクトル拡散変調信号の多重数Ｍ分だけ分配し、Ｍ個の受信ベースバンド信号を出力する分配手段を構成している。
マルチレート復調部２３の遅延補正部８４−１〜８４−Ｍは多重数可変分配部８３により分配されたＭ個の受信ベースバンド信号の遅延量が同じになるように、当該受信ベースバンド信号の遅延量を補正する。
マルチレート復調部２３の移相補正部８５−１〜８５−ＭはＭ個の受信ベースバンド信号が同相になるように、当該受信ベースバンド信号の移相量を補正する。なお、遅延補正部８４−１〜８４−Ｍ及び移相補正部８５−１〜８５−Ｍから補正手段が構成されている。
【００２１】
マルチレート復調部２３の部分相関処理部８６−１〜８６−Ｍは移相補正部８５−１〜８５−Ｍから出力された補正後の受信ベースバンド信号と拡散符号発生部８２から出力された拡散符号系列との部分相関処理を実施して、その部分相関信号を出力する。
マルチレート復調部２３の逆直交変換部８７−１〜８７−Ｍは部分相関処理部８６−１〜８６−Ｍから出力された部分相関信号と２N個の直交符号系列との相関処理を実施して、その相関処理信号を出力する。なお、部分相関処理部８６−１〜８６−Ｍ及び逆直交変換部８７−１〜８７−Ｍから相関処理手段が構成されている。
【００２２】
マルチレート復調部２３の復号化部８８−１〜８８−Ｍは逆直交変換部８７−１〜８７−Ｍから出力された相関処理信号を参照して、符号化率Ｒに対応する誤り訂正に対する復号化処理を実施して、復号データを出力する復号化処理手段を構成している。
マルチレート復調部２３の可変パラレル／シリアル変換部８９は復号化部８８−１〜８８−Ｍから出力されたＫ（＝Ｎ×Ｍ）ビットの復号データをシリアルデータに変換するＰ／Ｓ変換手段を構成している。
【００２３】
マルチレート制御部２７の多重数制御部９１は伝送速度判定部２６により判別された伝送速度の最大値からスペクトル拡散変調信号の多重数Ｍを決定して、その多重数Ｍを多重数可変分配部８３及び可変パラレル／シリアル変換部８９に出力する。
マルチレート制御部２７の直交符号数制御部９２は伝送速度判定部２６により判別された伝送速度の最大値から直交符号系列の個数２Nを決定して、２N個の直交符号系列を決定し、２N個の直交符号系列の系列情報及び系列数を部分相関処理部８６−１〜８６−Ｍ及び逆直交変換部８７−１〜８７−Ｍに出力する。
マルチレート制御部２７の符号化率制御部９３は伝送速度判定部２６により判別された伝送速度の最大値から符号化率Ｒを決定し、その符号化率Ｒを復号化部８８−１〜８８−Ｍに出力する。
【００２４】
次に動作について説明する。
まず、移動局１の受信部１２は、アンテナ１１が基地局２から送信された無線周波数信号を受信すると、その無線周波数信号の周波数を変換してベースバンド信号を出力する。
移動局１の復調部１３は、受信部１２からベースバンド信号を受けると、そのベースバンド信号を復調して受信フレームデータを出力する。
【００２５】
移動局１の情報分離部１４は、復調部１３から出力された受信フレームデータには受信データ（例えば、画像、音声、データ）の他に、スペクトル拡散変調信号の多重数Ｍと直交符号系列の個数２N及び符号化率Ｒを示す制御情報（スペクトル拡散変調信号の多重数Ｍや直交符号系列の個数２N及び符号化率Ｒは、後述するように基地局２が回線品質に応じて決定する）が含まれているので、その受信フレームデータから受信データと制御情報を抽出する。
【００２６】
移動局１におけるマルチレート制御部１５の多重数制御部４１は、情報分離部１４が制御情報を抽出すると、その制御情報が示すスペクトル拡散変調信号の多重数Ｍを情報付加部１６、可変シリアル／パラレル変換部５１及び多重数可変合成部５９に出力する。
また、移動局１におけるマルチレート制御部１５の直交符号数制御部４２は、情報分離部１４が制御情報を抽出すると、その制御情報を参照して、スペクトル拡散変調に必要な直交符号系列の個数２Nを認識し、２N個の直交符号系列Ｗｎ（ｎ＝０〜２N−１；符号長Ｌ＝２N）を決定する。そして、２N個の直交符号系列Ｗｎを直交符号選択部５４−１〜５４−Ｍ及びＳ／Ｐ部５３−１〜５３−Ｍに出力する。
また、移動局１におけるマルチレート制御部１５の符号化率制御部４３は、情報分離部１４が制御情報を抽出すると、その制御情報が示す符号化処理に必要な符号化率Ｒを符号化部５２−１〜５２−Ｍ及び情報付加部１６に出力する。
【００２７】
移動局１の情報付加部１６は、情報分離部１４が制御情報を抽出すると、その制御情報を送信データに付加し、その制御情報を付加した送信データをマルチレート変調部１７に出力する。
移動局１のマルチレート変調部１７は、情報付加部１６から制御情報が付加された送信データであるシリアルデータを受けると、そのシリアルデータのＭビットをパラレルデータに変換して、Ｍ個のスペクトル拡散変調信号を生成し、Ｍ個のスペクトル拡散変調信号を合成して多重スペクトル拡散変調信号を出力する。
マルチレート変調部１７の具体的な処理内容は下記の通りである。
【００２８】
マルチレート変調部１７の可変シリアル／パラレル変換部５１は、情報付加部１６からシリアルデータを受け、多重数制御部４１からスペクトル拡散変調信号の多重数Ｍを受けると、そのシリアルデータのうちのＭビットをパラレルデータに分離して、Ｍ個のビットデータを出力する。
【００２９】
マルチレート変調部１７の符号化部５２−１〜５２−Ｍは、可変シリアル／パラレル変換部５１からビットデータを受けると、そのビットデータに対して、誤り訂正を行うための符号化処理を行う。
即ち、符号化部５２−１〜５２−Ｍは、例えば、畳込み符号化器により可変シリアル／パラレル変換部５１から出力されたビットデータに対して符号化率Ｒの畳込み符号化処理を行う。
マルチレート変調部１７のＳ／Ｐ部５３−１〜５３−Ｍは、符号化部５２−１〜５２−Ｍから符号化処理後のシリアルデータを受けると、そのシリアルデータをＮビットのパラレルデータに変換して出力する。
【００３０】
マルチレート変調部１７の直交符号選択部５４−１〜５４−Ｍは、Ｓ／Ｐ部５３−１〜５３−ＭからＮ個のビットデータを入力すると、２N個の直交符号系列の中からＮ個のビットデータの系列に対応する直交符号系列Ｗｎを選択する。
即ち、直交符号選択部５４−１〜５４−Ｍは、例えば、Ｎ個のビットデータの系列に対応する直交符号系列Ｗｎが格納されたテーブルを記憶し、そのテーブルを参照して２N個の直交符号系列の中からＮ個のビットデータの系列に対応する直交符号系列Ｗｎを一つ選択する。
なお、直交符号系列では、同じ符号語間（Ｗｉ，Ｗｊ；ｉ＝ｊ）の相関値はＬ（Ｌ＝２N）となり、異なる符号語間（Ｗｉ，Ｗｊ；ｉ≠ｊ）の相関値は０となる。
【００３１】
マルチレート変調部１７の拡散符号発生部５５は、チップ周期がＴｃで、符号長がＧである拡散符号系列を繰り返し出力する。
マルチレート変調部１７の拡散変調部５６−１〜５６−Ｍは、直交符号選択部５４−１〜５４−ＭがＮ個のビットデータの系列に対応する直交符号系列Ｗｎを選択すると、その直交符号系列Ｗｎに拡散符号発生部５５から出力される拡散符号系列を乗算して、その直交符号系列をスペクトル拡散変調する。
なお、スペクトル拡散変調に際しては、拡散符号系列の符号周期と直交符号の符号周期が等しくなるように乗算する。
【００３２】
マルチレート変調部１７の遅延生成部５７−１〜５７−Ｍは、拡散変調部５６−１〜５６−Ｍからスペクトル拡散変調信号を受けると、基地局２においてＭ個の相関ピークを得ることができるようにするため、Ｍ個のスペクトル拡散変調信号に相互に異なる遅延量を与える。
即ち、拡散周期Ｇを超えない範囲内で、相互に異なるＭ個の遅延量ｎＴｃ（ｎ＝ｎ１，ｎ２，・・・，ｎＭ；０≦ｎ１＜ｎ２＜・・・＜ｎＭ＜Ｇ）を用意し、Ｍ個のスペクトル拡散変調信号に異なる遅延量ｎＴｃを与える。
【００３３】
マルチレート変調部１７の移相部５８−１〜５８−Ｍは、遅延生成部５７−１〜５７−ＭがＭ個のスペクトル拡散変調信号に相互に異なる遅延量を与えると、遅延後のＭ個のスペクトル拡散変調信号の同相多重数が略均等になるように、Ｍ個のスペクトル拡散変調信号に対して、直交軸（Ｉ−Ｑ軸）におけるＩ軸を基準にした移相量を与える。
例えば、遅延量ｎＴｃ（ｎ＝ｎ１，ｎ２，・・・，ｎＰ；０≦ｎ１＜ｎ２＜・・・＜ｎＰ）を有するスペクトル拡散変調信号に対しては、０°の移相量を与え、遅延量ｎＴｃ（ｎ＝ｎＰ＋１，ｎＰ＋２，・・・，ｎＭ；０≦ｎＰ＋１＜ｎＰ＋２＜・・・＜ｎＭ＜Ｇ）を有するスペクトル拡散変調信号に対しては、９０°の移相量を与える。
なお、同相多重数Ｐは、それぞれの移相量における多重数がほぼ均等になるように決定する。
【００３４】
マルチレート変調部１７の多重数可変合成部５９は、移相部５８−１〜５８−Ｍから移相量が与えられたＭ個のスペクトル拡散変調信号を受け、多重数制御部４１からスペクトル拡散変調信号の多重数Ｍを受けると、Ｍ個のスペクトル拡散変調信号を合成して多重スペクトル拡散変調信号を出力する。
【００３５】
移動局１における送信部１８の周波数変換部６１は、マルチレート変調部１７から多重スペクトル拡散変調信号を受けると、その多重スペクトル拡散変調信号を無線周波数信号に変換する。
移動局１における送信部１８の電力増幅部６２は、周波数変換部６１から出力された無線周波数信号の電力を増幅してアンテナ１１に出力する。
これにより、無線周波数信号が基地局２に伝送される。
【００３６】
基地局２における受信部２２の低雑音増幅部７１は、アンテナ２１が移動局１から送信された無線周波数信号を受信すると、その無線周波数信号の電力を増幅する。
基地局２における受信部２２の周波数変換部７２は、低雑音増幅部７１による電力増幅後の無線周波数信号の周波数を変換する。
基地局２における受信部２２の直交検波部７３は、周波数変換部７２による周波数変換後の無線周波数信号に対する直交検波を実施することにより、Ｉチャネル及びＱチャネルの受信ベースバンド信号を検出して出力する。
【００３７】
基地局２におけるマルチレート復調部２３は、受信部２２からＩチャネル及びＱチャネルの受信ベースバンド信号を入力して、Ｎビットの復号データをＭ個出力し、Ｋ（＝Ｎ×Ｍ）ビットの復号データをシリアルデータに変換して出力する。
マルチレート復調部２３の具体的な処理内容は下記の通りである。
【００３８】
マルチレート復調部２３の初期捕捉部８１は、受信部２２からＩチャネル及びＱチャネルの受信ベースバンド信号を受けると、Ｉチャネル及びＱチャネルの受信ベースバンド信号に対して初期捕捉処理を実施して、移動局１の拡散変調部５６−１〜５６−Ｍにより乗算された拡散符号系列の符号同期タイミングを獲得する。
マルチレート復調部２３の拡散符号発生部８２は、初期捕捉部８１が拡散符号系列の符号同期タイミングを獲得すると、その符号同期タイミングに同期して、移動局１の拡散符号発生部５５から出力される拡散符号系列と同一の拡散符号系列を出力する。
即ち、チップ周期がＴｃで、符号長がＧである拡散符号系列を繰り返し出力する。
【００３９】
マルチレート復調部２３の多重数可変分配部８３は、受信部２２からＩチャネル及びＱチャネルの受信ベースバンド信号を受け、後述する多重数制御部９１からスペクトル拡散変調信号の多重数Ｍを受けると、Ｉチャネル及びＱチャネルの受信ベースバンド信号を多重スペクトル拡散変調信号の多重数Ｍ分だけ分配し、Ｍ個の受信ベースバンド信号を出力する。
【００４０】
マルチレート復調部２３の遅延補正部８４−１〜８４−Ｍは、多重数可変分配部８３からＭ個の受信ベースバンド信号を受けると、Ｍ個の受信ベースバンド信号の遅延量が同じになるように、当該受信ベースバンド信号の遅延量を補正する。
例えば、移動局１の遅延生成部５７−１〜５７−Ｍにより与えられた遅延量ｎＴｃ（ｎ＝ｎ１，ｎ２，・・・，ｎＭ；０≦ｎ１＜ｎ２＜・・・＜ｎＭ＜Ｇ）に対して、遅延補正部８４−１〜８４−Ｍにおける遅延補正量をそれぞれ（ｎＭ−ｎ１）Ｔｃ，（ｎＭ−ｎ２）Ｔｃ，・・・，（ｎＭ−ｎＭ）Ｔｃとして、Ｍ個の受信ベースバンド信号の遅延量を補正する。
【００４１】
マルチレート復調部２３の移相補正部８５−１〜８５−Ｍは、遅延補正部８４−１〜８４−ＭがＭ個の受信ベースバンド信号の遅延量を補正すると、Ｍ個の受信ベースバンド信号が同相になるように、当該受信ベースバンド信号の移相量を補正する。
例えば、移動局１の移相部５８−１〜５８−Ｍが遅延量ｎＴｃ（ｎ＝ｎ１，ｎ２，・・・，ｎＰ；０≦ｎ１＜ｎ２＜・・・＜ｎＰ）を有するスペクトル拡散変調信号に対して、０°の移相量を与え、遅延量ｎＴｃ（ｎ＝ｎＰ＋１，ｎＰ＋２，・・・，ｎＭ；０≦ｎＰ＋１＜ｎＰ＋２＜・・・＜ｎＭ＜Ｇ）を有するスペクトル拡散変調信号に対して、９０°の移相量を与えた場合、移相補正部８５−１〜８５−Ｍにおける移相補正部８５−１〜８５−Ｐは、移相補正量を０°にして移相補正し、移相補正部８５−Ｐ＋１〜８５−Ｍは、移相補正量を−９０°にして移相補正する。
【００４２】
マルチレート復調部２３の部分相関処理部８６−１〜８６−Ｍは、移相補正部８５−１〜８５−Ｍから移相補正された受信ベースバンド信号を受け、拡散符号発生部８２から拡散符号系列を受けると、その受信ベースバンド信号と拡散符号系列との部分相関処理を実施して、その部分相関信号を出力する。
即ち、部分相関処理部８６−１〜８６−Ｍは、後述する直交符号数制御部９２から２N（＝Ｌ）個の直交符号系列Ｗｎを受けると、その拡散符号系列の符号長Ｇを直交符号系列の符号長Ｌでほぼ均等になるように分割して、Ｌ個の分割拡散符号系列を生成する。
また、移相補正後の受信ベースバンド信号における拡散符号周期１周期分をＬ個に分割し、Ｌ個の分割受信ベースバンド信号を生成する。
そして、Ｌ個の分割拡散符号系列とＬ個の分割受信ベースバンド信号との部分相関処理を実施して、Ｌ個の部分相関信号を出力する。
【００４３】
マルチレート復調部２３の逆直交変換部８７−１〜８７−Ｍは、部分相関処理部８６−１〜８６−ＭからＬ個の部分相関信号を受け、直交符号数制御部９２から直交符号系列Ｗｎ（ｎ＝０〜２N−１）を受けると、Ｌ個の部分相関信号と直交符号系列Ｗｎとの相関処理を実施して、Ｉチャネル及びＱチャネルに対応するＬ個の相関処理信号を出力する。
【００４４】
マルチレート復調部２３の復号化部８８−１〜８８−Ｍは、逆直交変換部８７−１〜８７−Ｍから出力されたＬ個の相関処理信号を参照して、誤り訂正に対する復号化処理を実施して復号データを出力する。
例えば、復号化部８８−１〜８８−Ｍは、移動局１の直交符号選択部５４−１〜５４−Ｍと同様に、Ｎビットの復調データ（Ｎ個のビットデータの系列）に対応する直交符号系列Ｗｎが格納されたテーブルを記憶し、そのテーブルを参照して、２N個の直交符号系列に対応するＬ個の相関処理信号を特定し、Ｌ個の相関処理信号を参照して、符号化率Ｒに対応するビタビアルゴリズムによる復号処理を行い、移動局１で送信された直交符号系列Ｗｎに対応するＮビットの復号データを一つ選択して出力する。
【００４５】
マルチレート復調部２３の可変パラレル／シリアル変換部８９は、復号化部８８−１〜８８−ＭからＮビットの復号データを受け、多重数制御部９１からスペクトル拡散変調信号の多重数Ｍを受けると、Ｍ個の復号データをシリアルデータに変換することにより、Ｎ×Ｍビットのシリアルデータである受信フレームデータを出力する。
【００４６】
基地局２の情報分離部２４は、マルチレート復調部２３から受信フレームデータを受けると、その受信フレームデータを受信データと制御情報に分離する。
基地局２の回線品質測定部２５は、マルチレート復調部２３から回線品質測定用の受信情報を受けると、その回線品質測定用の受信情報から無線周波数信号の回線品質を測定する。例えば、Ｓ／Ｎ比などを測定する。
【００４７】
基地局２の伝送速度判定部２６は、回線品質測定部２５により測定された回線品質と情報分離部２４により分離された制御情報を参照して、基地局２側で所要の伝送品質を満足することができる移動局１の送信側の伝送速度の最大値を判別する。
基地局２におけるマルチレート制御部２７の多重数制御部９１は、伝送速度判定部２６が伝送速度の最大値を判別すると、その伝送速度の最大値からスペクトル拡散変調信号の多重数Ｍを決定し、その多重数Ｍを多重数可変分配部８３及び可変パラレル／シリアル変換部８９に出力する。
基地局２におけるマルチレート制御部２７の直交符号数制御部９２は、伝送速度判定部２６により判別された伝送速度の最大値から直交符号系列の個数２Nを決定して、２N個の直交符号系列Ｗｎを決定し、２N個の直交符号系列Ｗｎを部分相関処理部８６−１〜８６−Ｍと逆直交変換部８７−１〜８７−Ｍに出力する。
基地局２におけるマルチレート制御部２７の符号化率制御部９３は、伝送速度判定部２６により判別された伝送速度の最大値から符号化率Ｒを決定し、その符号化率Ｒを復号化部８８−１〜８８−Ｍに出力する。
【００４８】
基地局２の情報付加部２８は、マルチレート制御部２７がスペクトル拡散変調信号の多重数Ｍと直交符号系列の個数２N及び符号化率Ｒを決定すると、そのスペクトル拡散変調信号の多重数Ｍと直交符号系列の個数２N及び符号化率Ｒを示す制御情報を送信データに付加する。
基地局２の変調部２９は、情報付加部２８から制御情報が付加された送信データを受けると、その送信データを変調する。
基地局２の送信部３０は、変調部２９から変調信号を受けると、その変調信号を無線周波数信号に変換してアンテナ２１に出力する。
これにより、無線周波数信号が移動局１に伝送される。
【００４９】
移動局１は、基地局２から無線周波数信号を受信すると、上述したように、その無線周波数信号の周波数を変換してベースバンド信号を得たのち、そのベースバンド信号を復調して、スペクトル拡散変調信号の多重数Ｍと直交符号系列の個数２N及び符号化率Ｒを示す制御情報を抽出する。
そして、移動局１は、その制御情報にしたがって送信側のスペクトル拡散変調信号の多重数Ｍと２N個の直交符号系列Ｗｎ及び符号化率Ｒとを設定して、マルチレート通信を確立する。
【００５０】
以上で明らかなように、この実施の形態１によれば、シリアルデータである送信データをビット単位に分離して、Ｍ個のビットデータを出力する可変シリアル／パラレル変換部５１の後段に、可変シリアル／パラレル変換部５１から出力されたビットデータに対する符号化処理を実施する符号化部５２−１〜５２−Ｍと、符号化処理後のビットデータをビット単位に分離して、Ｎ個のビットデータを出力するＳ／Ｐ部５３−１〜５３−Ｍと、２N個の直交符号系列の中からＮ個のビットデータに対応する直交符号系列を選択する直交符号選択部５４−１〜５４−Ｍと、その直交符号系列をスペクトル拡散変調し、そのスペクトル拡散変調信号に相互に異なる遅延量を与える遅延生成部５７−１〜５７−Ｍとを設け、遅延生成部５７−１〜５７−Ｍにより遅延量が与えられたスペクトル拡散変調信号を合成して多重スペクトル拡散変調信号を生成するように構成したので、Ｍ個のスペクトル拡散変調信号を合成するだけで（従来は、Ｋ（＝Ｎ×Ｍ）個のスペクトル拡散変調信号を合成する必要がある）、Ｎ×Ｍ個のビットデータを送信することができるとともに、Ｍ個に分割する前に符号化処理を行う場合と比較して、符号化処理の処理速度を１／Ｍ倍にすることができる効果を奏する。また、伝送速度の可変レート処理を実施する場合でも、固定レートの符号化部を多重数分だけ用意することにより実現することができるため、符号化部の構成を簡易化することができる効果を奏する。
【００５１】
この実施の形態１によれば、多重数可変分配部８３により分配されたＭ個のスペクトル拡散変調信号の遅延量が同じになるように、当該スペクトル拡散変調信号の遅延量を補正する遅延補正部８４−１〜８４−Ｍと、補正後のスペクトル拡散変調信号と複数の直交符号系列との相関処理を実施する逆直交変換部８７−１〜８７−Ｍと、相関処理信号を参照して誤り訂正に対する復号化処理を実施して復号データを出力する復号化部８８−１〜８８−Ｍとを設けるように構成したので、移動局１がＮ×Ｍ個のビットデータを送信するに際して、Ｍ個のスペクトル拡散変調信号を合成して多重スペクトル拡散変調信号を生成する場合でも、Ｎ×Ｍ個のビットデータを受信することができるとともに、Ｍ個の信号を合成後に復号化処理を行う場合と比較して、復号化処理の処理速度を１／Ｍ倍にすることができる効果を奏する。また、伝送速度の可変レート処理を実施する場合でも、固定レートの符号化部を多重数分だけ用意すれば足りるため、復号化部の構成を簡易化することができる効果を奏する。
【００５２】
実施の形態２．
図４はこの発明の実施の形態２による移動局１におけるスペクトル拡散通信装置の要部詳細を示す構成図であり、図において、図２と同一符号は同一または相当部分を示すので説明を省略する。
マルチレート制御部１５の多重数制御部４１は情報分離部１４により抽出された制御情報が示すスペクトル拡散変調信号の多重数Ｍ（＝Ｈ×Ｊ）を情報付加部１６、可変シリアル／パラレル変換部５１、Ｓ／Ｐ部５３−１〜５３−Ｊ及び多重数可変合成部５９に出力する。
マルチレート制御部１５の直交符号数制御部４２は情報分離部１４により抽出された制御情報が示す直交符号系列の個数２Nから２N個の直交符号系列を決定し、２N個の直交符号系列の系列情報及び系列数を直交符号選択部５４−１（１）〜５４−Ｈ（１），５４−１（２）〜５４−Ｈ（２），・・・，５４−１（Ｊ）〜５４−Ｈ（Ｊ）及びＳ／Ｐ部５３−１〜５３−Ｊに出力する。
マルチレート制御部１５の符号化率制御部４３は情報分離部１４により抽出された制御情報が示す符号化率Ｒを符号化部５２ａ−１〜５２ａ−Ｊと情報付加部１６に出力する。
【００５３】
マルチレート変調部１７の可変シリアル／パラレル変換部５１は情報付加部１６により制御情報が付加された送信データであるシリアルデータをＪビットに分離したビットデータとして出力する第１のＳ／Ｐ変換手段を構成している。
マルチレート変調部１７の符号化部５２ａ−１〜５２ａ−Ｊは可変シリアル／パラレル変換部５１から出力されたＪビットに分離されたそれぞれのビットデータに対して、符号化率Ｒに対応する誤り訂正のための符号化処理を行う符号化処理手段を構成している。
マルチレート変調部１７のＳ／Ｐ部５３−１〜５３−Ｊは符号化部５２ａ−１〜５２ａ−Ｊから出力された符号化処理後のシリアルデータを（Ｎ×Ｈ）ビットのパラレルデータに変換する第２のＳ／Ｐ変換手段を構成している。
マルチレート変調部１７の直交符号選択部５４−１（１）〜５４−Ｈ（１），５４−１（２）〜５４−Ｈ（２），・・・，５４−１（Ｊ）〜５４−Ｈ（Ｊ）はＳ／Ｐ部５３−１〜５３−Ｊから出力されたＮ個のビットデータを入力し、２N個の直交符号系列の中からＮ個のビットデータの系列に対応する直交符号系列を選択する直交符号選択手段を構成している。
【００５４】
マルチレート変調部１７の拡散符号発生部５５はチップ周期がＴｃで、符号長がＧである拡散符号系列を繰り返し出力する。
マルチレート変調部１７の拡散変調部５６−１（１）〜５６−Ｈ（１），５６−１（２）〜５６−Ｈ（２），・・・，５６−１（Ｊ）〜５６−Ｈ（Ｊ）は直交符号選択部５４−１（１）〜５４−Ｈ（１），５４−１（２）〜５４−Ｈ（２），・・・，５４−１（Ｊ）〜５４−Ｈ（Ｊ）により選択された直交符号系列に拡散符号発生部５５から出力される拡散符号系列を乗算して、その直交符号系列をスペクトル拡散変調する。
マルチレート変調部１７の遅延生成部５７−１（１）〜５７−Ｈ（１），５７−１（２）〜５７−Ｈ（２），・・・，５７−１（Ｊ）〜５７−Ｈ（Ｊ）は拡散変調部５６−１（１）〜５６−Ｈ（１），５６−１（２）〜５６−Ｈ（２），・・・，５６−１（Ｊ）〜５６−Ｈ（Ｊ）から出力されたスペクトル拡散変調信号に相互に異なる遅延量を与える。
【００５５】
マルチレート変調部１７の移相部５８−１（１）〜５８−Ｈ（１），５８−１（２）〜５８−Ｈ（２），・・・，５８−１（Ｊ）〜５８−Ｈ（Ｊ）はＭ個のスペクトル拡散変調信号の同相多重数が略均等になるように、当該スペクトル拡散変調信号に移相量を与える。なお、拡散符号発生部５５、拡散変調部５６−１（１）〜５６−Ｈ（１），５６−１（２）〜５６−Ｈ（２），・・・，５６−１（Ｊ）〜５６−Ｈ（Ｊ）、遅延生成部５７−１（１）〜５７−Ｈ（１），５７−１（２）〜５７−Ｈ（２），・・・，５７−１（Ｊ）〜５７−Ｈ（Ｊ）及び移相部５８−１（１）〜５８−Ｈ（１），５８−１（２）〜５８−Ｈ（２），・・・，５８−１（Ｊ）〜５８−Ｈ（Ｊ）から遅延手段が構成されている。
マルチレート変調部１７の多重数可変合成部５９は移相部５８−１（１）〜５８−Ｈ（１），５８−１（２）〜５８−Ｈ（２），・・・，５８−１（Ｊ）〜５８−Ｈ（Ｊ）から出力されたスペクトル拡散変調信号を合成して多重スペクトル拡散変調信号を出力する合成手段を構成している。
【００５６】
図５はこの発明の実施の形態２による基地局２におけるスペクトル拡散通信装置の要部詳細を示す構成図であり、図において、図３と同一符号は同一または相当部分を示すので説明を省略する。
マルチレート復調部２３の初期捕捉部８１は受信部２２から出力されたＩチャネル及びＱチャネルの受信ベースバンド信号に対して初期捕捉処理を実施し、移動局１の拡散変調部５６−１（１）〜５６−Ｈ（１），５６−１（２）〜５６−Ｈ（２），・・・，５６−１（Ｊ）〜５６−Ｈ（Ｊ）により乗算された拡散符号系列の符号同期タイミングを獲得する。
マルチレート復調部２３の拡散符号発生部８２は初期捕捉部８１から出力された符号同期タイミングに同期して、移動局１の拡散符号発生部５５から出力される拡散符号系列と同一の拡散符号系列（チップ周期がＴｃ、符号長がＧである拡散符号系列）を出力する。
【００５７】
マルチレート復調部２３の多重数可変分配部８３は受信部２２から出力されたＩチャネル及びＱチャネルの受信ベースバンド信号を多重スペクトル拡散変調信号の多重数Ｍ（＝Ｈ×Ｊ）分だけ分配して、Ｍ個の受信ベースバンド信号を出力する分配手段を構成している。
マルチレート復調部２３の遅延補正部８４−１（１）〜８４−Ｈ（１），８４−１（２）〜８４−Ｈ（２），・・・，８４−１（Ｊ）〜８４−Ｈ（Ｊ）は多重数可変分配部８３により分配されたＭ（＝Ｈ×Ｊ）個の受信ベースバンド信号の遅延量が同じになるように、当該受信ベースバンド信号の遅延量を補正する。
マルチレート復調部２３の移相補正部８５−１（１）〜８５−Ｈ（１），８５−１（２）〜８５−Ｈ（２），・・・，８５−１（Ｊ）〜８５−Ｈ（Ｊ）はＭ個の受信ベースバンド信号が同相になるように、当該受信ベースバンド信号の移相量を補正する。なお、遅延補正部８４−１（１）〜８４−Ｈ（１），８４−１（２）〜８４−Ｈ（２），・・・，８４−１（Ｊ）〜８４−Ｈ（Ｊ）及び移相補正部８５−１（１）〜８５−Ｈ（１），８５−１（２）〜８５−Ｈ（２），・・・，８５−１（Ｊ）〜８５−Ｈ（Ｊ）から補正手段が構成されている。
【００５８】
マルチレート復調部２３の部分相関処理部８６−１（１）〜８６−Ｈ（１），８６−１（２）〜８６−Ｈ（２），・・・，８６−１（Ｊ）〜８６−Ｈ（Ｊ）は移相補正部８５−１（１）〜８５−Ｈ（１），８５−１（２）〜８５−Ｈ（２），・・・，８５−１（Ｊ）〜８５−Ｈ（Ｊ）から出力された補正後の受信ベースバンド信号と拡散符号発生部８２から出力された拡散符号系列との部分相関処理を実施して部分相関信号を出力する。
マルチレート復調部２３の逆直交変換部８７−１（１）〜８７−Ｈ（１），８７−１（２）〜８７−Ｈ（２），・・・，８７−１（Ｊ）〜８７−Ｈ（Ｊ）は部分相関処理部８６−１（１）〜８６−Ｈ（１），８６−１（２）〜８６−Ｈ（２），・・・，８６−１（Ｊ）〜８６−Ｈ（Ｊ）から出力された部分相関信号と２N個の直交符号系列との相関処理を実施して相関処理信号を出力する。なお、部分相関処理部８６−１（１）〜８６−Ｈ（１），８６−１（２）〜８６−Ｈ（２），・・・，８６−１（Ｊ）〜８６−Ｈ（Ｊ）及び逆直交変換部８７−１（１）〜８７−Ｈ（１），８７−１（２）〜８７−Ｈ（２），・・・，８７−１（Ｊ）〜８７−Ｈ（Ｊ）から相関処理手段が構成されている。
マルチレート変換部２３のＰ／Ｓ部９０−１〜９０−Ｊは逆直交変換部８７−１（１）〜８７−Ｈ（１），８７−１（２）〜８７−Ｈ（２），・・・，８７−１（Ｊ）〜８７−Ｈ（Ｊ）から出力されたＨ個の相関処理信号をシリアルデータに変換して出力する第１のＰ／Ｓ変換手段を構成している。
【００５９】
マルチレート復調部２３の復号化部８８ａ−１〜８８ａ−ＪはＰ／Ｓ部９０−１〜９０−Ｊから出力された相関処理信号を参照して、符号化率Ｒに対応する誤り訂正に対して復号化処理を実施して、復号データを出力する復号化処理手段を構成している。
マルチレート復調部２３の可変パラレル／シリアル変換部８９は復号化部８８ａ−１〜８８ａ−Ｊから出力されたＪビットの復号データをシリアルデータに変換する第２のＰ／Ｓ変換手段を構成している。
【００６０】
マルチレート制御部２７の多重数制御部９１は伝送速度判定部２６により判別された伝送速度の最大値からスペクトル拡散変調信号の多重数Ｍ（＝Ｈ×Ｊ）を決定して、その多重数Ｍを多重数可変分配部８３、Ｐ／Ｓ部９０−１〜９０−Ｊ及び可変パラレル／シリアル変換部８９に出力する。
マルチレート制御部２７の直交符号数制御部９２は伝送速度判定部２６により判別された伝送速度の最大値から直交符号系列の個数２Nを決定して、２N個の直交符号系列を決定し、２N個の直交符号系列の系列情報及び系列数を部分相関処理部８６−１（１）〜８６−Ｈ（１），８６−１（２）〜８６−Ｈ（２），・・・，８６−１（Ｊ）〜８６−Ｈ（Ｊ）及び逆直交変換部８７−１（１）〜８７−Ｈ（１），８７−１（２）〜８７−Ｈ（２），・・・，８７−１（Ｊ）〜８７−Ｈ（Ｊ）に出力する。
マルチレート制御部２７の符号化率制御部９３は伝送速度判定部２６により判別された伝送速度の最大値から符号化率Ｒを決定し、その符号化率Ｒを復号化部８８ａ−１〜８８ａ−Ｊに出力する。
【００６１】
次に動作について説明する。
移動局１のマルチレート制御部１５の多重数制御部４１は、情報分離部１４により抽出された制御情報が示すスペクトル拡散変調信号の多重数Ｍ（＝Ｈ×Ｊ）を情報付加部１６、可変シリアル／パラレル変換部５１、Ｓ／Ｐ部５３−１〜５３−Ｊ及び多重数可変合成部５９に出力する。
マルチレート制御部１５の直交符号数制御部４２は、情報分離部１４により抽出された制御情報が示す直交符号系列の個数２Nから２N個の直交符号系列を決定し、２N個の直交符号系列の系列情報及び系列数を直交符号選択部５４−１（１）〜５４−Ｈ（１），５４−１（２）〜５４−Ｈ（２），・・・，５４−１（Ｊ）〜５４−Ｈ（Ｊ）及びＳ／Ｐ部５３−１〜５３−Ｊに出力する。
マルチレート制御部１５の符号化率制御部４３は、情報分離部１４により抽出された制御情報が示す符号化率Ｒを符号化部５２ａ−１〜５２ａ−Ｊ及び情報付加部１６に出力する。
【００６２】
マルチレート変調部１７の可変シリアル／パラレル変換部５１は、情報付加部１６からシリアルデータを受け、多重数制御部４１からスペクトル拡散変調信号の多重数Ｍを受けると、そのシリアルデータのうちのＪビットをパラレルデータに分離して、Ｊ個のビットデータを出力する。
マルチレート変調部１７の符号化部５２ａ−１〜５２ａ−Ｊは、可変シリアル／パラレル変換部５１からビットデータを受けると、そのビットデータに対して、符号化率Ｒに対応する誤り訂正のための符号化処理を行う。
【００６３】
マルチレート変調部１７のＳ／Ｐ部５３−１〜５３−Ｊは、符号化部５２ａ−１〜５２ａ−Ｊから符号化処理後のシリアルデータを受けると、そのシリアルデータを（Ｎ×Ｈ）ビットのパラレルデータに変換して出力する。
マルチレート変調部１７の直交符号選択部５４−１（１）〜５４−Ｈ（１），５４−１（２）〜５４−Ｈ（２），・・・，５４−１（Ｊ）〜５４−Ｈ（Ｊ）は、Ｓ／Ｐ部５３−１〜５３−Ｊから出力されたＮ個のビットデータを入力し、２N個の直交符号系列の中からＮ個のビットデータの系列に対応する直交符号系列を選択する。
【００６４】
マルチレート変調部１７の拡散符号発生部５５は、チップ周期がＴｃで、符号長がＧである拡散符号系列を繰り返し出力する。
マルチレート変調部１７の拡散変調部５６−１（１）〜５６−Ｈ（１），５６−１（２）〜５６−Ｈ（２），・・・，５６−１（Ｊ）〜５６−Ｈ（Ｊ）は、直交符号選択部５４−１（１）〜５４−Ｈ（１），５４−１（２）〜５４−Ｈ（２），・・・，５４−１（Ｊ）〜５４−Ｈ（Ｊ）により選択された直交符号系列に拡散符号発生部５５から出力される拡散符号系列を乗算して、その直交符号系列をスペクトル拡散変調する。
【００６５】
マルチレート変調部１７の遅延生成部５７−１（１）〜５７−Ｈ（１），５７−１（２）〜５７−Ｈ（２），・・・，５７−１（Ｊ）〜５７−Ｈ（Ｊ）は、拡散変調部５６−１（１）〜５６−Ｈ（１），５６−１（２）〜５６−Ｈ（２），・・・，５６−１（Ｊ）〜５６−Ｈ（Ｊ）からスペクトル拡散変調信号を受けると、そのスペクトル拡散変調信号に相互に異なる遅延量を与える。
マルチレート変調部１７の移相部５８−１（１）〜５８−Ｈ（１），５８−１（２）〜５８−Ｈ（２），・・・、５８−１（Ｊ）〜５８−Ｈ（Ｊ）は、遅延生成部５７−１（１）〜５７−Ｈ（１），５７−１（２）〜５７−Ｈ（２），・・・，５７−１（Ｊ）〜５７−Ｈ（Ｊ）により遅延量が与えられたＭ個のスペクトル拡散変調信号の同相多重数が略均等になるように、当該スペクトル拡散変調信号に移相量を与える。
マルチレート変調部１７の多重数可変合成部５９は、移相部５８−１（１）〜５８−Ｈ（１），５８−１（２）〜５８−Ｈ（２），・・・，５８−１（Ｊ）〜５８−Ｈ（Ｊ）により移相量が与えられたＭ個のスペクトル拡散変調信号を合成して多重スペクトル拡散変調信号を出力する。
移動局１におけるその他の処理内容は、上記実施の形態１と同様であるため説明を省略する。
【００６６】
基地局２のマルチレート復調部２３の初期捕捉部８１は、受信部２２から出力されたＩチャネル及びＱチャネルの受信ベースバンド信号に対して初期捕捉処理を実施し、移動局１の拡散変調部５６−１（１）〜５６−Ｈ（１），５６−１（２）〜５６−Ｈ（２），・・・，５６−１（Ｊ）〜５６−Ｈ（Ｊ）により乗算された拡散符号系列の符号同期タイミングを獲得する。
マルチレート復調部２３の拡散符号発生部８２は、初期捕捉部８１から出力された符号同期タイミングに同期して、移動局１の拡散符号発生部５５から出力される拡散符号系列と同一の拡散符号系列（チップ周期がＴｃ、符号長がＧである拡散符号系列）を出力する。
【００６７】
マルチレート復調部２３の多重数可変分配部８３は、受信部２２からＩチャネル及びＱチャネルの受信ベースバンド信号を受け、多重数制御部９１からスペクトル拡散変調信号の多重数Ｍを受けると、Ｉチャネル及びＱチャネルの受信ベースバンド信号を多重スペクトル拡散変調信号の多重数Ｍ（＝Ｈ×Ｊ）分だけ分配し、Ｍ個の受信ベースバンド信号を出力する。
マルチレート復調部２３の遅延補正部８４−１（１）〜８４−Ｈ（１），８４−１（２）〜８４−Ｈ（２），・・・，８４−１（Ｊ）〜８４−Ｈ（Ｊ）は、多重数可変分配部８３から受信ベースバンド信号を受けると、Ｍ（＝Ｈ×Ｊ）個の受信ベースバンド信号の遅延量が同じになるように、当該受信ベースバンド信号の遅延量を補正する。
マルチレート復調部２３の移相補正部８５−１（１）〜８５−Ｈ（１），８５−１（２）〜８５−Ｈ（２），・・・，８５−１（Ｊ）〜８５−Ｈ（Ｊ）は、Ｍ個の受信ベースバンド信号が同相になるように、当該受信ベースバンド信号の移相量を補正する。
【００６８】
マルチレート復調部２３の部分相関処理部８６−１（１）〜８６−Ｈ（１），８６−１（２）〜８６−Ｈ（２），・・・，８６−１（Ｊ）〜８６−Ｈ（Ｊ）は、移相補正部８５−１（１）〜８５−Ｈ（１），８５−１（２）〜８５−Ｈ（２），・・・，８５−１（Ｊ）〜８５−Ｈ（Ｊ）から補正後の受信ベースバンド信号を受け、拡散符号発生部８２から拡散符号系列を受けると、その補正後の受信ベースバンド信号と拡散符号系列との部分相関処理を実施して、その部分相関信号を出力する。
マルチレート復調部２３の逆直交変換部８７−１（１）〜８７−Ｈ（１），８７−１（２）〜８７−Ｈ（２），・・・，８７−１（Ｊ）〜８７−Ｈ（Ｊ）は、部分相関処理部８６−１（１）〜８６−Ｈ（１），８６−１（２）〜８６−Ｈ（２），・・・，８６−１（Ｊ）〜８６−Ｈ（Ｊ）から部分相関信号を受けると、その部分相関信号と２N個の直交符号系列との相関処理を実施して、その相関処理信号を出力する。
マルチレート変換部２３のＰ／Ｓ部９０−１〜９０−Ｊは、逆直交変換部８７−１（１）〜８７−Ｈ（１），８７−１（２）〜８７−Ｈ（２），・・・，８７−１（Ｊ）〜８７−Ｈ（Ｊ）から相関処理信号を受けると、その相関処理信号をシリアルデータに変換して出力する。
【００６９】
マルチレート復調部２３の復号化部８８ａ−１〜８８ａ−Ｊは、Ｐ／Ｓ部９０−１〜９０−Ｊから相関処理信号を受けると、その相関処理信号を参照して、符号化率Ｒに対応する誤り訂正に対して復号化処理を実施して、復号データを出力する。
マルチレート復調部２３の可変パラレル／シリアル変換部８９は、復号化部８８ａ−１〜８８ａ−ＪからＫ（＝Ｎ×Ｍ）ビットの復号データを受けると、その復号データをシリアルデータに変換する。
【００７０】
マルチレート制御部２７の多重数制御部９１は、伝送速度判定部２６により判別された伝送速度の最大値からスペクトル拡散変調信号の多重数Ｍ（＝Ｈ×Ｊ）を決定して、その多重数Ｍを多重数可変分配部８３、Ｐ／Ｓ部９０−１〜９０−Ｊ及び可変パラレル／シリアル変換部８９に出力する。
マルチレート制御部２７の直交符号数制御部９２は、伝送速度判定部２６により判別された伝送速度の最大値から直交符号系列の個数２Nを決定して、２N個の直交符号系列を決定し、２N個の直交符号系列の系列情報及び系列数を部分相関処理部８６−１（１）〜８６−Ｈ（１），８６−１（２）〜８６−Ｈ（２），・・・，８６−１（Ｊ）〜８６−Ｈ（Ｊ）及び逆直交変換部８７−１（１）〜８７−Ｈ（１），８７−１（２）〜８７−Ｈ（２），・・・，８７−１（Ｊ）〜８７−Ｈ（Ｊ）に出力する。
マルチレート制御部２７の符号化率制御部９３は、伝送速度判定部２６により判別された伝送速度の最大値から符号化率Ｒを決定し、その符号化率Ｒを復号化部８８ａ−１〜８８ａ−Ｊに出力する。
基地局２におけるその他の処理内容は、上記実施の形態１と同様であるため説明を省略する。
【００７１】
以上で明らかなように、この実施の形態２によれば、シリアルデータである送信データをビット単位に分離して、Ｊ個のビットデータを出力する可変シリアル／パラレル変換部５１の後段に、可変シリアル／パラレル変換部５１から出力されたビットデータに対する符号化処理を実施する符号化部５２ａ−１〜５２ａ−Ｊと、符号化処理後のビットデータをビット単位に分離して、（Ｎ×Ｈ）個のビットデータを出力するＳ／Ｐ部５３−１〜５３−Ｊと、２N個の直交符号系列の中から（Ｎ×Ｈ）個のビットデータに対応する直交符号系列を選択する直交符号選択部５４−１（１）〜５４−Ｈ（１），５４−１（２）〜５４−Ｈ（２），・・・，５４−１（Ｊ）〜５４−Ｈ（Ｊ）と、その直交符号系列をスペクトル拡散変調し、そのスペクトル拡散変調信号に相互に異なる遅延量を与える遅延生成部５７−１（１）〜５７−Ｈ（１），５７−１（２）〜５７−Ｈ（２），・・・，５７−１（Ｊ）〜５７−Ｈ（Ｊ）とを設け、遅延生成部５７−１（１）〜５７−Ｈ（１），５７−１（２）〜５７−Ｈ（２），・・・，５７−１（Ｊ）〜５７−Ｈ（Ｊ）により遅延量が与えられたスペクトル拡散変調信号を合成して多重スペクトル拡散変調信号を生成するように構成したので、上記実施の形態１と比較して、符号化部５２−１〜５２−Ｊの個数をＭ個からＪ（＝Ｍ／Ｈ）個に軽減することができるようになり、さらに符号化部の構成を簡易化することができる効果を奏する。
【００７２】
この実施の形態２によれば、多重数可変分配部８３により分配されたＭ（＝Ｈ×Ｊ）個のスペクトル拡散変調信号の遅延量が同じになるように、当該スペクトル拡散変調信号の遅延量を補正する遅延補正部８４−１（１）〜８４−Ｈ（１），８４−１（２）〜８４−Ｈ（２），・・・，８４−１（Ｊ）〜８４−Ｈ（Ｊ）と、補正後のスペクトル拡散変調信号と複数の直交符号系列との相関処理を実施する逆直交変換部８７−１（１）〜８７−Ｈ（１），８７−１（２）〜８７−Ｈ（２），・・・，８７−１（Ｊ）〜８７−Ｈ（Ｊ）と、相関処理信号を参照して誤り訂正に対する復号化処理を実施して復号データを出力する復号化部８８ａ−１〜８８ａ−Ｊとを設けるように構成したので、上記実施の形態１と比較して、復号化部８８ａ−１〜８８ａ−Ｊの個数をＭ個からＪ（＝Ｍ／Ｈ）個に軽減することができるようになり、さらに復号化部の構成を簡易化することができる効果を奏する。
【００７３】
実施の形態３．
図６はこの発明の実施の形態３による移動局１におけるスペクトル拡散通信装置の要部詳細を示す構成図であり、図において、図２と同一符号は同一または相当部分を示すので説明を省略する。
マルチレート変調部１７の周波数偏差付加部１０１−１〜１０１−Ｍは拡散変調部５６−１〜５６−Ｍから出力されたスペクトル拡散変調信号に相互に異なる周波数偏差を与える周波数偏差付与手段を構成している。
【００７４】
図７はこの発明の実施の形態３による基地局２におけるスペクトル拡散通信装置の要部詳細を示す構成図であり、図において、図３と同一符号は同一または相当部分を示すので説明を省略する。
マルチレート復調部２３の周波数偏差補正部１１１−１〜１１１−Ｍは多重数可変分配部８３により分配されたＭ個の受信ベースバンド信号の周波数偏差が同じになるように、当該受信ベースバンド信号の周波数偏差を補正する補正手段を構成している。
【００７５】
上記実施の形態１では、移動局１のマルチレート変調部１７が遅延生成部５７−１〜５７−Ｍ及び移相部５８−１〜５８−Ｍを搭載しているものについて示したが、遅延生成部５７−１〜５７−Ｍ及び移相部５８−１〜５８−Ｍの代わりに、周波数偏差付加部１０１−１〜１０１−Ｍを搭載するようにしてもよい。
また、上記実施の形態１では、基地局２のマルチレート復調部２３が遅延補正部８４−１〜８４−Ｍ及び移相補正部８５−１〜８５−Ｍを搭載しているものについて示したが、遅延補正部８４−１〜８４−Ｍ及び移相補正部８５−１〜８５−Ｍの代わりに、周波数偏差補正部１１１−１〜１１１−Ｍを搭載するようにしてもよい。
【００７６】
次に動作について説明する。
移動局１におけるマルチレート変調部１７の周波数偏差付加部１０１−１〜１０１−Ｍは、上記実施の形態１と同様にして、拡散変調部５６−１〜５６−ＭからＭ個のスペクトル拡散変調信号を受けると、基地局２においてＭ個の相関ピークを得ることができるようにするため、Ｍ個のスペクトル拡散変調信号に相互に異なる周波数偏差を与える。
即ち、周波数偏差付加部１０１−１〜１０１−Ｍは、拡散変調部５６−１〜５６−Ｍから出力されたＭ個のスペクトル拡散変調信号に対して、各サブキャリアに対応する周波数偏差量Δｆｋとして、Δｆｋ＝（ｋ−１）ｆｃ／Ｇの周波数偏差を与える。
ただし、ｋ＝０，１，・・・，Ｍ−１であり、ｆｃはチップ周波数であって、１／Ｔｃである。
移動局１は、以降、上記実施の形態１と同様に動作するため説明を省略する。
【００７７】
基地局２におけるマルチレート復調部２３の周波数偏差補正部１１１−１〜１１１−Ｍは、上記実施の形態１と同様にして、多重数可変分配部８３からＭ個の受信ベースバンド信号を受けると、Ｍ個の受信ベースバンド信号の周波数偏差が同じになるように、当該受信ベースバンド信号の周波数偏差を補正する。
例えば、多重数可変分配部８３から出力されたＩチャネル及びＱチャネルの受信ベースバンド信号に対して、各サブキャリアに対応する周波数偏差量Δｆｋとして、Δｆｋ＝−（ｋ−１）ｆｃ／Ｇの周波数偏差を補正する。
ただし、ｋ＝０，１，・・・，Ｍ−１であり、ｆｃはチップ周波数であって、１／Ｔｃである。
基地局２は、以降、上記実施の形態１と同様に動作するため説明を省略する。
【００７８】
以上で明らかなように、この実施の形態３によれば、シリアルデータである送信データをビット単位に分離して、Ｍ個のビットデータを出力する可変シリアル／パラレル変換部５１の後段に、可変シリアル／パラレル変換部５１から出力されたビットデータに対する符号化処理を実施する符号化部５２−１〜５２−Ｍと、符号化処理後のビットデータをビット単位に分離して、Ｎ個のビットデータを出力するＳ／Ｐ部５３−１〜５３−Ｍと、２N個の直交符号系列の中からＮ個のビットデータに対応する直交符号系列を選択する直交符号選択部５４−１〜５４−Ｍと、その直交符号系列をスペクトル拡散変調し、そのスペクトル拡散変調信号に相互に異なる周波数偏差を与える周波数偏差付加部１０１−１〜１０１−Ｍとを設け、Ｍ個の周波数偏差後のスペクトル拡散変調信号を合成して多重スペクトル拡散変調信号を生成するように構成したので、Ｍ個のスペクトル拡散変調信号を合成するだけで（従来は、Ｋ（＝Ｎ×Ｍ）個のスペクトル拡散変調信号を合成する必要がある）、Ｎ×Ｍ個のビットデータを送信することができるとともに、Ｍ個に分割する前に符号化処理を行う場合と比較して、符号化処理の処理速度を１／Ｍ倍にすることができる効果を奏する。また、伝送速度の可変レート処理を実施する場合でも、固定レートの符号化部を多重数分だけ用意すれば足りるため、符号化部の構成を簡易化することができる効果を奏する。
【００７９】
また、この実施の形態３によれば、多重数可変分配部８３により分配されたＭ個のスペクトル拡散変調信号の周波数偏差が同じになるように、当該受信ベースバンド信号の周波数偏差を補正する周波数偏差補正部１１１−１〜１１１−Ｍと、補正後のスペクトル拡散変調信号と複数の直交符号系列との相関処理を実施する逆直交変換部８７−１〜８７−Ｍと、相関処理信号を参照して誤り訂正に対する復号化処理を実施して復号データを出力する復号化部８８−１〜８８−Ｍとを設けるように構成したので、移動局１がＮ×Ｍ個のビットデータを送信するに際して、Ｍ個のスペクトル拡散変調信号を合成して多重スペクトル拡散変調信号を生成する場合でも、Ｎ×Ｍ個のビットデータを受信することができるとともに、Ｍ個の信号を合成後に復号化処理を行う場合と比較して、復号化処理の処理速度を１／Ｍ倍にすることができる効果を奏する。また、伝送速度の可変レート処理を実施する場合でも、固定レートの符号化部を多重数分だけ用意すれば足りるため、復号化部の構成を簡易化することができる効果を奏する。
【００８０】
実施の形態４．
図８はこの発明の実施の形態４による移動局１におけるスペクトル拡散通信装置の要部詳細を示す構成図であり、図において、図２と同一符号は同一または相当部分を示すので説明を省略する。
マルチレート制御部１５の拡散符号数制御部１０２は情報分離部１４により抽出された制御情報が示す拡散符号系列の個数２Nから２N個の拡散符号系列を決定し、２N個の拡散符号系列を拡散符号選択部１０３−１〜１０３−Ｍに出力する。
マルチレート変調部１７の拡散符号選択部１０３−１〜１０３−ＭはＳ／Ｐ部５３−１〜５３−Ｍから出力されたＮ個のビットデータを入力し、２N個の拡散符号系列の中からＮ個のビットデータの系列に対応する拡散符号系列を選択する拡散符号選択手段を構成している。
【００８１】
図９はこの発明の実施の形態４による基地局２におけるスペクトル拡散通信装置の要部詳細を示す構成図であり、図において、図３と同一符号は同一または相当部分を示すので説明を省略する。
マルチレート制御部２７の拡散符号数制御部１１２は伝送速度判定部２６により判別された伝送速度の最大値から拡散符号系列の個数２Nを決定して、その拡散符号系列の個数２Nを相関処理部１１４−１〜１１４−Ｍ及び拡散符号発生部１１３に出力する。
マルチレート復調部２３の拡散符号発生部１１３は拡散符号数制御部１１２により決定された拡散符号系列の個数２Nから２N個の拡散符号系列を決定し、２N個の拡散符号系列を相関処理部１１４−１〜１１４−Ｍに出力する。
【００８２】
マルチレート復調部２３の相関処理部１１４−１〜１１４−Ｍは移相補正部８５−１〜８５−Ｍから出力された補正後の受信ベースバンド信号と拡散符号発生部１１３から出力された２N個の拡散符号系列との相関処理を実施して、２N個の相関処理信号を出力する相関処理手段を構成している。
マルチレート復調部２３の復号化部１１５−１〜１１５−Ｍは相関処理部１１４−１〜１１４−Ｍから出力された２N個の相関処理信号を参照して、誤り訂正に対する復号化処理を実施して復号データを出力する復号化処理手段を構成している。
【００８３】
次に動作について説明する。
上記実施の形態１では、移動局１のマルチレート変調部１７が直交符号選択部５４−１〜５４−Ｍ、拡散符号発生部５５及び拡散変調部５６−１〜５６−Ｍを搭載しているものについて示したが、直交符号選択部５４−１〜５４−Ｍ、拡散符号発生部５５及び拡散変調部５６−１〜５６−Ｍの代わりに、拡散符号選択部１０３−１〜１０３−Ｍを搭載するようにしてもよい。
また、上記実施の形態１では、基地局２のマルチレート復調部２３が部分相関処理部８６−１〜８６−Ｍ及び逆直交処理部８７−１〜８７−Ｍを搭載しているものについて示したが、部分相関処理部８６−１〜８６−Ｍ及び逆直交処理部８７−１〜８７−Ｍの代わりに、相関処理部１１４−１〜１１４−Ｍを搭載するようにしてもよい。
【００８４】
次に動作について説明する。
移動局１におけるマルチレート制御部１５の拡散符号数制御部１０２は、上記実施の形態１と同様にして、情報分離部１４が制御情報を抽出すると、その制御情報を参照して、スペクトル拡散変調に必要な拡散符号系列の個数２Nを認識し、２N個の拡散符号系列Ｓｎ（ｎ＝０〜２N−１；符号長Ｇ）を決定する。そして、２N個の拡散符号系列Ｓｎを拡散符号選択部１０３−１〜１０３−Ｍに出力する。
【００８５】
移動局１におけるマルチレート変調部１７の拡散符号選択部１０３−１〜１０３−Ｍは、Ｓ／Ｐ部５３−１〜５３−ＭからＮ個のビットデータを入力すると、２N個の拡散符号系列の中からＮ個のビットデータの系列に対応する拡散符号系列を選択する。
即ち、拡散符号選択部１０３−１〜１０３−Ｍは、例えば、Ｎ個のビットデータの系列に対応する拡散符号系列Ｓｎが格納されたテーブルを記憶し、そのテーブルを参照して、２N個の拡散符号系列の中からＮ個のビットデータの系列に対応する拡散符号系列Ｓｎを一つ選択する。
拡散符号選択部１０３−１〜１０３−Ｍは、Ｎ個のビットデータの系列に対応する拡散符号系列Ｓｎをチップ周期Ｔｃのスペクトル拡散信号として遅延生成部５７−１〜５７−Ｍに出力する。
移動局１は、以降、上記実施の形態１と同様に動作するため説明を省略する。
【００８６】
基地局２におけるマルチレート制御部２７の拡散符号数制御部１１２は、上記実施の形態１と同様にして、伝送速度判定部２６が伝送速度の最大値を判別すると、その伝送速度の最大値から拡散符号系列の個数２Nを決定し、その拡散符号系列の個数２Nを相関処理部１１４−１〜１１４−Ｍ及び拡散符号発生部１１３に出力する。
基地局２におけるマルチレート復調部２３の拡散符号発生部１１３は、初期捕捉部８１が拡散符号系列の符号同期タイミングを獲得すると、その符号同期タイミングに同期して、拡散符号数制御部１１２により決定された拡散符号系列の個数２Nから２N個の拡散符号系列Ｓｎを決定し、２N個の拡散符号系列Ｓｎを相関処理部１１４−１〜１１４−Ｍに出力する。
【００８７】
基地局２におけるマルチレート復調部２３の相関処理部１１４−１〜１１４−Ｍは、上記実施の形態１と同様にして、移相補正部８５−１〜８５−Ｍから移相補正された受信ベースバンド信号を受け、拡散符号発生部１１３から２N個の拡散符号系列Ｓｎを受けると、補正後の受信ベースバンド信号と２N個の拡散符号系列Ｓｎとの相関処理を実施して、２N個の相関処理信号を出力する。
即ち、相関処理部１１４−１〜１１４−Ｍは、補正後の受信ベースバンド信号に対する２N個の拡散符号系列Ｓｎ（ｎ＝０〜２N−１）の相関処理を実施して、２N個の拡散符号系列Ｓｎ（ｎ＝０〜２N−１）のそれぞれに対するＩチャネル及びＱチャネルに対応した２N個の相関処理信号を出力する。
【００８８】
基地局２におけるマルチレート復調部２３の復号化部１１５−１〜１１５−Ｍは、マルチレート復調部２３の相関処理部１１４−１〜１１４−Ｍから出力された２N個の相関処理信号を参照して、誤り訂正に対する復号化処理を実施して復号データを出力する。
例えば、復号化部１１５−１〜１１５−Ｍは、移動局１の拡散符号選択部１０３−１〜１０３−Ｍと同様に、Ｎビットの復調データ（Ｎ個のビットデータの系列）に対応する拡散符号系列Ｓｎが格納されたテーブルを記憶し、そのテーブルを参照して、２N個の拡散符号系列に対応する２N個の相関処理信号を特定し、その２N個の相関処理信号を参照して、符号化率Ｒに対応するビタビアルゴリズムによる復号処理を実施して、移動局１で送信された直交符号系列Ｗｎに対応するＮビットの復号データを一つ選択して出力する。
基地局２は、以降、上記実施の形態１と同様に動作するため説明を省略する。
【００８９】
以上で明らかなように、この実施の形態４によれば、シリアルデータである送信データをビット単位に分離して、Ｍ個のビットデータを出力する可変シリアル／パラレル変換部５１の後段に、可変シリアル／パラレル変換部５１から出力されたビットデータに対する符号化処理を実施する符号化部５２−１〜５２−Ｍと、符号化処理後のビットデータをビット単位に分離して、Ｎ個のビットデータを出力するＳ／Ｐ部５３−１〜５３−Ｍと、２N個の拡散符号系列Ｓｎの中からＮ個のビットデータの系列に対応する拡散符号系列Ｓｎを選択する拡散符号選択部１０３−１〜１０３−Ｍと、その拡散符号系列Ｓｎをスペクトル拡散変調し、そのスペクトル拡散変調信号に相互に異なる遅延量を与える遅延生成部５７−１〜５７−Ｍとを設け、遅延生成部５７−１〜５７−Ｍにより遅延量が与えられたスペクトル拡散変調信号を合成して多重スペクトル拡散変調信号を生成するように構成したので、Ｍ個のスペクトル拡散変調信号を合成するだけで（従来は、Ｋ（＝Ｎ×Ｍ）個のスペクトル拡散変調信号を合成する必要がある）、Ｎ×Ｍ個のビットデータを送信することができるとともに、Ｍ個に分割する前に符号化処理を行う場合と比較して、符号化処理の処理速度を１／Ｍ倍にすることができる効果を奏する。また、伝送速度の可変レート処理を実施する場合でも、固定レートの符号化部を多重数分だけ用意すれば足りるため、符号化部の構成を簡易化することができる効果を奏する。
【００９０】
また、この実施の形態４によれば、多重数可変分配部８３により分配されたＭ個のスペクトル拡散変調信号の遅延量が同じになるように、当該スペクトル拡散変調信号の遅延量を補正する遅延補正部８４−１〜８４−Ｍと、補正後のスペクトル拡散変調信号と２N個の拡散符号系列との相関処理を実施する相関処理部１１４−１〜１１４−Ｍと、相関処理信号を参照して誤り訂正に対する復号化処理を実施して復号データを出力する復号化部８８−１〜８８−Ｍとを設けるように構成したので、移動局１がＮ×Ｍ個のビットデータを送信するに際して、Ｍ個のスペクトル拡散変調信号を合成して多重スペクトル拡散変調信号を生成する場合でも、Ｎ×Ｍ個のビットデータを受信することができるとともに、Ｍ個の信号を合成後に復号化処理を行う場合と比較して、復号化処理の処理速度を１／Ｍ倍にすることができる効果を奏する。また、伝送速度の可変レート処理を実施する場合でも、固定レートの符号化部を多重数分だけ用意すれば足りるため、復号化部の構成を簡易化することができる効果を奏する。
【００９１】
実施の形態５．
図１０はこの発明の実施の形態４による基地局２におけるスペクトル拡散通信装置の要部詳細を示す構成図であり、図において、図３と同一符号は同一または相当部分を示すので説明を省略する。
マルチレート制御部２７の相関ピーク数検出部１１６は逆直交変換部８７−１〜８７−Ｍ＋１の相関処理結果から相関ピーク数を検出する。
マルチレート制御部２７の多重数制御部１１７は相関ピーク数検出部１１６により検出された相関ピーク数からスペクトル拡散変調信号の多重数を決定する。
【００９２】
上記実施の形態１では、マルチレート制御部２７の多重数制御部９１が伝送速度判定部２６により判別された伝送速度の最大値からスペクトル拡散変調信号の多重数Ｍを決定するものについて示したが、マルチレート制御部２７の相関ピーク数検出部１１６が逆直交変換部８７−１〜８７−Ｍ＋１の相関処理結果から相関ピーク数を検出し、多重数制御部１１７が相関ピーク数検出部１１６により検出された相関ピーク数からスペクトル拡散変調信号の多重数を決定するようにしてもよい。
ただし、この実施の形態５では、マルチレート制御部２７が遅延補正部、移相補正部、部分相関処理部、逆直交変換部及びデータ復調部をＭ＋１台搭載しているものとする。
【００９３】
次に動作について説明する。
マルチレート制御部２７の相関ピーク数検出部１１６は、上記実施の形態１と同様にして、逆直交変換部８７−１〜８７−Ｍ＋１が相関処理を実施すると、その相関処理結果から相関ピーク数を検出する。
即ち、相関ピーク数検出部１１６は、逆直交変換部８７−１〜８７−Ｍ＋１からＩチャネル及びＱチャネルに対応するＬ個の相関処理信号を受けると、Ｌ個の相関処理信号の中から最大相関信号を検出する。
そして、逆直交変換部８７−１〜８７−Ｍ＋１のそれぞれに対応するＭ＋１個の最大相関信号と、予め設定された閾値とを比較し、その閾値より大きい最大相関信号が相関ピークであるとして、相関ピークの有無を検出する。
マルチレート制御部２７の多重数制御部１１７は、相関ピーク数検出部１１６が相関ピーク数を検出すると、その相関ピーク数からスペクトル拡散変調信号の多重数を後述するように決定し、そのスペクトル拡散変調信号の多重数を可変パラレル／シリアル変換部８９に出力する。
【００９４】
マルチレート復調部２３の可変パラレル／シリアル変換部８９は、データ復調部８８−１〜８８−Ｍ＋１からＮビットの復調データを受け、多重数制御部１１７からスペクトル拡散変調信号の多重数を受けると、その多重数分の復調データをシリアルデータに変換することにより、Ｎ×Ｍビットのシリアルデータである受信フレームデータを出力する。
なお、多重数制御部１１７は、相関ピーク数検出部１１６により検出された相関ピーク数がＭの場合、スペクトル拡散変調信号の多重数を変更せず現状のままとするが、相関ピーク数がＭ＋１の場合、その多重数をＭ＋１に変更し、可変パラレル／シリアル変換部８９に対して、（Ｎ×（Ｍ＋１））ビットのパラレルデータをシリアルデータに変換させるようにする。
一方、相関ピーク数がＭ−１の場合、その多重数をＭ−１に変更し、可変パラレル／シリアル変換部８９に対して、（Ｎ×（Ｍ−１））ビットのパラレルデータをシリアルデータに変換させるようにする。
【００９５】
以上で明らかなように、この実施の形態５によれば、マルチレート制御部２７の相関ピーク数検出部１１６が逆直交変換部８７−１〜８７−Ｍ＋１の相関処理結果から相関ピーク数を検出し、多重数制御部１１７が相関ピーク数検出部１１６により検出された相関ピーク数からスペクトル拡散変調信号の多重数を決定するように構成したので、伝送速度判定部２６により判別された伝送速度の最大値を示す情報を入手することなく、多重数を変更することができるようになり、その結果、伝送速度の切替手順を簡素化することができる効果を奏する。
【００９６】
実施の形態６．
図１１はこの発明の実施の形態６による通信システムを示す構成図であり、図において、図１と同一符号は同一または相当部分を示すので説明を省略する。
移動局１のパイロット復調部１９は受信部１２から出力されたベースバンド信号よりパイロット変調信号を抽出して復調するパイロット信号抽出手段を構成している。
移動局１のマルチレート制御部１５ａは図２のマルチレート制御部１５と同様に、２N個の直交符号系列を決定し、２N個の直交符号系列とスペクトル拡散変調信号の多重数Ｍ及び符号化率Ｒとをマルチレート変調部１７に出力するマルチレート決定手段を構成しているが、マルチレート制御部１５ａはパイロット復調部１９により抽出されたパイロット信号から制御情報を抽出する点で相違している。
移動局１のパイロット変調部２０はパイロット信号に含まれている制御情報をスペクトル拡散変調し、その変調信号をパイロット変調信号としてマルチレート変調部１７の多重数可変合成部５９に出力し、そのパイロット変調信号を多重スペクトル拡散変調信号に合成させるパイロット変調手段を構成している。
【００９７】
基地局２のパイロット復調部３１は受信部２２から出力された多重スペクトル拡散変調信号よりパイロット変調信号を抽出して復調し、そのパイロット信号から制御情報を抽出して伝送速度判定部２６に出力するとともに、そのパイロット信号から回線品質測定用の受信情報を抽出して回線品質測定部２５に出力するマルチレート制御手段を構成している。
基地局２のパイロット変調部３２はマルチレート制御部２７により決定されたスペクトル拡散変調信号の多重数Ｍと直交符号系列の個数２N及び符号化率Ｒを示す制御情報を変調するとともに、その変調信号であるパイロット変調信号を変調部２９に出力して、そのパイロット変調信号を送信データの変調信号に多重化させる変調手段を構成している。
【００９８】
図１２はこの発明の実施の形態６による移動局１におけるスペクトル拡散通信装置の要部詳細を示す構成図であり、図において、図２と同一符号は同一または相当部分を示すので説明を省略する。
パイロット変調部２０の拡散符号発生部１２１は拡散符号発生部５５から出力される拡散符号系列とは異なる系列であって、チップ周期がＴｃで符号長がＧの拡散符号系列を繰り返し出力する。
パイロット変調部２０の拡散変調部１２２は拡散符号発生部１２１から出力された拡散符号系列と、マルチレート制御部１５ａから出力された制御情報を含むデータ系列とを乗算してスペクトル拡散変調を行う。
パイロット変調部２０のレベル調整部１２３は拡散変調部１２２から出力されるスペクトル拡散信号の送信電力レベルを調整し、レベル調整後のスペクトル拡散信号を多重数可変合成部５９に出力する。
【００９９】
図１３はこの発明の実施の形態６による基地局２におけるスペクトル拡散通信装置の要部詳細を示す構成図であり、図において、図３と同一符号は同一または相当部分を示すので説明を省略する。
パイロット復調部３１の初期捕捉部１３１は直交検波部７３から出力されたＩチャネル及びＱチャネルの受信ベースバンド信号からパイロット信号を抽出し、そのパイロット信号を用いて初期捕捉動作を実施し、移動局１の拡散変調部５６−１〜５６−Ｍにより乗算された拡散符号系列の符号同期のタイミングを獲得する。
パイロット復調部３１の拡散符号発生部１３２は移動局１の拡散符号発生部１２１から出力される拡散符号系列と同一の符号系列、即ち、チップ周期がＴｃで符号長Ｇの拡散符号系列を繰り返し出力する。
パイロット復調部３１の逆拡散処理部１３３はＩチャネル及びＱチャネルの受信ベースバンド信号に多重化されているパイロット信号と、拡散符号発生部１３２から出力される拡散符号系列とを乗算して相関処理を実施し、Ｉチャネル及びＱチャネルの相関信号を出力する。
パイロット復調部３１のデータ復調部１３４は逆拡散処理部１３３から出力されたＩチャネル及びＱチャネルの相関信号によりデータ判定を実施して復調データを出力する。
【０１００】
次に動作について説明する。
移動局１のパイロット復調部１９は、上記実施の形態１と同様にして、受信部１２が無線周波数信号をベースバンド信号に変換すると、そのベースバンド信号からパイロット変調信号を抽出して復調する。詳細は後述するが、パイロット変調信号は、スペクトル拡散変調信号の多重数Ｍと直交符号系列の個数２N及び符号化率Ｒを示す制御情報が変調された信号であり、基地局２のパイロット変調部３２により生成される。
【０１０１】
移動局１のマルチレート制御部１５ａは、パイロット復調部１９からパイロット変調信号を受けると、そのパイロット信号から制御情報を抽出する。
そして、その制御情報を参照して、２N個の直交符号系列を決定し、２N個の直交符号系列とスペクトル拡散変調信号の多重数Ｍ及び符号化率Ｒとをマルチレート変調部１７に出力する。
即ち、マルチレート制御部１５ａは、マルチレート変調部１７が図２に示すように直交符号選択部５４−１〜５４−Ｍを搭載しているので、２N個の直交符号系列とスペクトル拡散変調信号の多重数Ｍ及び符号化率Ｒとをマルチレート変調部１７に出力する。
【０１０２】
移動局１のパイロット変調部２０は、マルチレート制御部１５ａにより抽出された制御情報をスペクトル拡散変調し、その変調信号をパイロット変調信号としてマルチレート変調部１７の多重数可変合成部５９に出力し、そのパイロット変調信号を多重スペクトル拡散変調信号に合成させるようにする。
具体的には次の通りである。
【０１０３】
パイロット変調部２０の拡散符号発生部１２１は、拡散符号発生部５５から出力される拡散符号系列とは異なる系列であって、チップ周期がＴｃで符号長がＧの拡散符号系列を繰り返し出力する。
パイロット変調部２０の拡散変調部１２２は、マルチレート制御部１５ａにより抽出された制御情報を受けると、その制御情報を含むデータ系列と、拡散符号発生部１２１から出力された拡散符号系列とを乗算してスペクトル拡散変調を行う。
パイロット変調部２０のレベル調整部１２３は、拡散変調部１２２からスペクトル拡散変調信号であるパイロット変調信号を受けると、そのパイロット変調信号の送信電力レベルを調整し、レベル調整後のパイロット変調信号を多重数可変合成部５９に出力する。
【０１０４】
マルチレート変調部１７の多重数可変合成部５９は、上記実施の形態１と同様にして、移相部５８−１〜５８−ＭからＭ個のスペクトル拡散変調信号を受け、パイロット変調部２０のレベル調整部１２３からパイロット変調信号を受けると、Ｍ個のスペクトル拡散変調信号とパイロット変調信号を合成して多重スペクトル拡散変調信号を出力する。
移動局１におけるその他の処理内容は、上記実施の形態１と同様であるため説明を省略する。
【０１０５】
基地局２のパイロット復調部３１は、上記実施の形態１と同様にして、受信部２２がＩチャネル及びＱチャネルの受信ベースバンド信号を検出して出力すると、Ｉチャネル及びＱチャネルの受信ベースバンド信号からパイロット変調信号を抽出して復調し、そのパイロット変調信号から制御情報を抽出して伝送速度判定部２６に出力するとともに、そのパイロット変調信号から回線品質測定用の受信情報を抽出して回線品質測定部２５に出力する。
具体的には次の通りである。
【０１０６】
パイロット復調部３１の初期捕捉部１３１は、直交検波部７３から出力されたＩチャネル及びＱチャネルの受信ベースバンド信号からパイロット信号を抽出し、そのパイロット信号を用いて初期捕捉動作を実施して、移動局１の拡散変調部５６−１〜５６−Ｍにより乗算された拡散符号系列の符号同期のタイミングを獲得する。
パイロット復調部３１の拡散符号発生部１３２は、移動局１の拡散符号発生部１２１から出力される拡散符号系列と同一の符号系列、即ち、チップ周期がＴｃで符号長Ｇの拡散符号系列を繰り返し出力する。
【０１０７】
パイロット復調部３１の逆拡散処理部１３３は、Ｉチャネル及びＱチャネルの受信ベースバンド信号に多重化されているパイロット信号と、拡散符号発生部１３２から出力される拡散符号系列とを乗算して相関処理を実施し、Ｉチャネル及びＱチャネルの相関信号を出力する。
パイロット復調部３１のデータ復調部１３４は、逆拡散処理部１３３から出力されたＩチャネル及びＱチャネルの相関信号によりデータ判定を実施して復調データを出力する。
即ち、データ復調部１３４は、スペクトル拡散変調信号の多重数Ｍと直交符号系列の個数２N及び符号化率Ｒを示す制御情報を復調データとして伝送速度判定部２６に出力する。
なお、逆拡散処理部１３３からは、Ｉチャネル及びＱチャネルの相関信号を回線品質測定用の受信情報として回線品質測定部２５に出力される。
【０１０８】
基地局２のパイロット変調部３２は、上記実施の形態１と同様にして、マルチレート制御部２７がスペクトル拡散変調信号の多重数Ｍと直交符号系列の個数２N及び符号化率Ｒを決定すると、そのスペクトル拡散変調信号の多重数Ｍと直交符号系列の個数２N及び符号化率Ｒを示す制御情報を変調する。
そして、その変調信号であるパイロット変調信号を変調部２９に出力して、そのパイロット変調信号を送信データの変調信号に多重化させる。
基地局２におけるその他の処理内容は、上記実施の形態１と同様であるため説明を省略する。
【０１０９】
以上で明らかなように、この実施の形態６によれば、パイロット信号を利用して、マルチレート制御を行うための制御情報を付加するように構成したので、例えば、図１の情報付加部１６や情報分離部１４が不要になり、フレームフォーマットを簡素化することができる効果を奏する。また、パイロット信号を利用することにより、マルチレート化による多重数に依存しない構成で、初期捕捉や回線品質測定を行うことができるため、これらの回路を簡易な構成で実現することができる効果を奏する。
【０１１０】
実施の形態７．
上記実施の形態６では、パイロット変調部２０を移動局１に搭載することにより、パイロット信号を利用して、マルチレート制御を行うための制御情報を付加するものについて示したが、図１４に示すように、上記実施の形態２の構成（図４を参照）に、図１２と同様のパイロット変調部２０を移動局１に搭載するようにすれば（移動局１の全体構成は図１１と同じ）、上記実施の形態６と同様に、図１の情報付加部１６や情報分離部１４が不要になり、フレームフォーマットを簡素化することができる効果を奏する。
【０１１１】
また、上記実施の形態６では、パイロット変調部３１を基地局２に搭載することにより、パイロット信号を利用して、マルチレート化による多重数に依存しない構成で、初期捕捉や回線品質測定を行うものについて示したが、図１５に示すように、上記実施の形態２の構成（図５を参照）に、図１３と同様のパイロット変調部３１を基地局２に搭載するようにすれば（基地局１の全体構成は図１１と同じ）、上記実施の形態６と同様に、マルチレート化による多重数に依存しない構成で、初期捕捉や回線品質測定を行うことができる効果を奏する。
【０１１２】
具体的には下記の通りである。
移動局１のパイロット復調部１９は、上記実施の形態２と同様にして、受信部１２が無線周波数信号をベースバンド信号に変換すると、そのベースバンド信号からパイロット変調信号を抽出して復調する。パイロット変調信号は、スペクトル拡散変調信号の多重数Ｍと直交符号系列の個数２N及び符号化率Ｒを示す制御情報が変調された信号であり、基地局２のパイロット変調部３２により生成される。
【０１１３】
移動局１のマルチレート制御部１５ａは、パイロット復調部１９からパイロット変調信号を受けると、そのパイロット信号から制御情報を抽出する。
そして、その制御情報を参照して、２N個の直交符号系列を決定し、２N個の直交符号系列とスペクトル拡散変調信号の多重数Ｍ及び符号化率Ｒとをマルチレート変調部１７に出力する。
即ち、マルチレート制御部１５ａは、マルチレート変調部１７が図４に示すように直交符号選択部５４−１（１）〜５４−Ｈ（１），５４−１（２）〜５４−Ｈ（２），・・・，５４−１（Ｊ）〜５４−Ｈ（Ｊ）を搭載しているので、２N個の直交符号系列とスペクトル拡散変調信号の多重数Ｍ及び符号化率Ｒとをマルチレート変調部１７に出力する。
【０１１４】
移動局１のパイロット変調部２０は、マルチレート制御部１５ａにより抽出された制御情報をスペクトル拡散変調し、その変調信号をパイロット変調信号としてマルチレート変調部１７の多重数可変合成部５９に出力し、そのパイロット変調信号を多重スペクトル拡散変調信号に合成させるようにする。
具体的には次の通りである。
【０１１５】
パイロット変調部２０の拡散符号発生部１２１は、拡散符号発生部５５から出力される拡散符号系列とは異なる系列であって、チップ周期がＴｃで符号長がＧの拡散符号系列を繰り返し出力する。
パイロット変調部２０の拡散変調部１２２は、マルチレート制御部１５ａにより抽出された制御情報を受けると、その制御情報を含むデータ系列と、拡散符号発生部１２１から出力された拡散符号系列とを乗算してスペクトル拡散変調を行う。
パイロット変調部２０のレベル調整部１２３は、拡散変調部１２２からスペクトル拡散変調信号であるパイロット変調信号を受けると、そのパイロット変調信号の送信電力レベルを調整し、レベル調整後のパイロット変調信号を多重数可変合成部５９に出力する。
【０１１６】
マルチレート変調部１７の多重数可変合成部５９は、上記実施の形態２と同様にして、移相部５８−１（１）〜５８−Ｈ（１），５８−１（２）〜５８−Ｈ（２），・・・，５８−１（Ｊ）〜５８−Ｈ（Ｊ）からＭ（＝Ｈ×Ｊ）個のスペクトル拡散変調信号を受け、パイロット変調部２０のレベル調整部１２３からパイロット変調信号を受けると、Ｍ個のスペクトル拡散変調信号とパイロット変調信号を合成して多重スペクトル拡散変調信号を出力する。
移動局１におけるその他の処理内容は、上記実施の形態２と同様であるため説明を省略する。
【０１１７】
基地局２のパイロット復調部３１は、上記実施の形態２と同様にして、受信部２２がＩチャネル及びＱチャネルの受信ベースバンド信号を検出して出力すると、Ｉチャネル及びＱチャネルの受信ベースバンド信号からパイロット変調信号を抽出して復調し、そのパイロット変調信号から制御情報を抽出して伝送速度判定部２６に出力するとともに、そのパイロット変調信号から回線品質測定用の受信情報を抽出して回線品質測定部２５に出力する。
具体的には次の通りである。
【０１１８】
パイロット復調部３１の初期捕捉部１３１は、直交検波部７３から出力されたＩチャネル及びＱチャネルの受信ベースバンド信号からパイロット信号を抽出し、そのパイロット信号を用いて初期捕捉動作を実施して、移動局１の拡散変調部５６−１（１）〜５６−Ｈ（１），５６−１（２）〜５６−Ｈ（２），・・・，５６−１（Ｊ）〜５６−Ｈ（Ｊ）により乗算された拡散符号系列の符号同期のタイミングを獲得する。
パイロット復調部３１の拡散符号発生部１３２は、移動局１の拡散符号発生部１２１から出力される拡散符号系列と同一の符号系列、即ち、チップ周期がＴｃで符号長Ｇの拡散符号系列を繰り返し出力する。
【０１１９】
パイロット復調部３１の逆拡散処理部１３３は、Ｉチャネル及びＱチャネルの受信ベースバンド信号に多重化されているパイロット信号と、拡散符号発生部１３２から出力される拡散符号系列とを乗算して相関処理を実施し、Ｉチャネル及びＱチャネルの相関信号を出力する。
パイロット復調部３１のデータ復調部１３４は、逆拡散処理部１３３から出力されたＩチャネル及びＱチャネルの相関信号によりデータ判定を実施して復調データを出力する。
即ち、データ復調部１３４は、スペクトル拡散変調信号の多重数Ｍと直交符号系列の個数２N及び符号化率Ｒを示す制御情報を復調データとして伝送速度判定部２６に出力する。
なお、逆拡散処理部１３３からは、Ｉチャネル及びＱチャネルの相関信号を回線品質測定用の受信情報として回線品質測定部２５に出力される。
【０１２０】
基地局２のパイロット変調部３２は、上記実施の形態２と同様にして、マルチレート制御部２７がスペクトル拡散変調信号の多重数Ｍと直交符号系列の個数２N及び符号化率Ｒを決定すると、そのスペクトル拡散変調信号の多重数Ｍと直交符号系列の個数２N及び符号化率Ｒを示す制御情報を変調する。
そして、その変調信号であるパイロット変調信号を変調部２９に出力して、そのパイロット変調信号を送信データの変調信号に多重化させる。
基地局２におけるその他の処理内容は、上記実施の形態２と同様であるため説明を省略する。
【０１２１】
以上で明らかなように、この実施の形態７によれば、パイロット信号を利用して、マルチレート制御を行うための制御情報を付加するように構成したので、例えば、図１の情報付加部１６や情報分離部１４が不要になり、フレームフォーマットを簡素化することができる効果を奏する。また、パイロット信号を利用することにより、マルチレート化による多重数に依存しない構成で、初期捕捉や回線品質測定を行うことができるため、これらの回路を簡易な構成で実現することができる効果を奏する。
【０１２２】
実施の形態８．
上記実施の形態６では、パイロット変調部２０を移動局１に搭載することにより、パイロット信号を利用して、マルチレート制御を行うための制御情報を付加するものについて示したが、図１６に示すように、上記実施の形態３の構成（図６を参照）に、図１２と同様のパイロット変調部２０を移動局１に搭載するようにすれば（移動局１の全体構成は図１１と同じ）、上記実施の形態６と同様に、図１の情報付加部１６や情報分離部１４が不要になり、フレームフォーマットを簡素化することができる効果を奏する。
【０１２３】
また、上記実施の形態６では、パイロット変調部３１を基地局２に搭載することにより、パイロット信号を利用して、マルチレート化による多重数に依存しない構成で、初期捕捉や回線品質測定を行うものについて示したが、図１７に示すように、上記実施の形態３の構成（図７を参照）に、図１３と同様のパイロット変調部３１を基地局２に搭載するようにすれば（基地局１の全体構成は図１１と同じ）、上記実施の形態６と同様に、マルチレート化による多重数に依存しない構成で、初期捕捉や回線品質測定を行うことができる効果を奏する。
【０１２４】
具体的には下記の通りである。
移動局１のパイロット復調部１９は、上記実施の形態３と同様にして、受信部１２が無線周波数信号をベースバンド信号に変換すると、そのベースバンド信号からパイロット変調信号を抽出して復調する。パイロット変調信号は、スペクトル拡散変調信号の多重数Ｍと直交符号系列の個数２N及び符号化率Ｒを示す制御情報が変調された信号であり、基地局２のパイロット変調部３２により生成される。
【０１２５】
移動局１のマルチレート制御部１５ａは、パイロット復調部１９からパイロット変調信号を受けると、そのパイロット信号から制御情報を抽出する。
そして、その制御情報を参照して、２N個の直交符号系列を決定し、２N個の直交符号系列とスペクトル拡散変調信号の多重数Ｍ及び符号化率Ｒとをマルチレート変調部１７に出力する。
即ち、マルチレート制御部１５ａは、マルチレート変調部１７が図６に示すように直交符号選択部５４−１〜５４−Ｍを搭載しているので、２N個の直交符号系列とスペクトル拡散変調信号の多重数Ｍ及び符号化率Ｒとをマルチレート変調部１７に出力する。
【０１２６】
移動局１のパイロット変調部２０は、マルチレート制御部１５ａにより抽出された制御情報をスペクトル拡散変調し、その変調信号をパイロット変調信号としてマルチレート変調部１７の多重数可変合成部５９に出力し、そのパイロット変調信号を多重スペクトル拡散変調信号に合成させるようにする。
具体的には次の通りである。
【０１２７】
パイロット変調部２０の拡散符号発生部１２１は、拡散符号発生部５５から出力される拡散符号系列とは異なる系列であって、チップ周期がＴｃで符号長がＧの拡散符号系列を繰り返し出力する。
パイロット変調部２０の拡散変調部１２２は、マルチレート制御部１５ａにより抽出された制御情報を受けると、その制御情報を含むデータ系列と、拡散符号発生部１２１から出力された拡散符号系列とを乗算してスペクトル拡散変調を行う。
パイロット変調部２０のレベル調整部１２３は、拡散変調部１２２からスペクトル拡散変調信号であるパイロット変調信号を受けると、そのパイロット変調信号の送信電力レベルを調整し、レベル調整後のパイロット変調信号を多重数可変合成部５９に出力する。
【０１２８】
マルチレート変調部１７の多重数可変合成部５９は、上記実施の形態３と同様にして、周波数偏差付加部１０１−１〜１０１−ＭからＭ個のスペクトル拡散変調信号を受け、パイロット変調部２０のレベル調整部１２３からパイロット変調信号を受けると、Ｍ個のスペクトル拡散変調信号とパイロット変調信号を合成して多重スペクトル拡散変調信号を出力する。
移動局１におけるその他の処理内容は、上記実施の形態３と同様であるため説明を省略する。
【０１２９】
基地局２のパイロット復調部３１は、上記実施の形態３と同様にして、受信部２２がＩチャネル及びＱチャネルの受信ベースバンド信号を検出して出力すると、Ｉチャネル及びＱチャネルの受信ベースバンド信号からパイロット変調信号を抽出して復調し、そのパイロット変調信号から制御情報を抽出して伝送速度判定部２６に出力するとともに、そのパイロット変調信号から回線品質測定用の受信情報を抽出して回線品質測定部２５に出力する。
具体的には次の通りである。
【０１３０】
パイロット復調部３１の初期捕捉部１３１は、直交検波部７３から出力されたＩチャネル及びＱチャネルの受信ベースバンド信号からパイロット信号を抽出し、そのパイロット信号を用いて初期捕捉動作を実施して、移動局１の拡散変調部５６−１〜５６−Ｍにより乗算された拡散符号系列の符号同期のタイミングを獲得する。
パイロット復調部３１の拡散符号発生部１３２は、移動局１の拡散符号発生部１２１から出力される拡散符号系列と同一の符号系列、即ち、チップ周期がＴｃで符号長Ｇの拡散符号系列を繰り返し出力する。
【０１３１】
パイロット復調部３１の逆拡散処理部１３３は、Ｉチャネル及びＱチャネルの受信ベースバンド信号に多重化されているパイロット信号と、拡散符号発生部１３２から出力される拡散符号系列とを乗算して相関処理を実施し、Ｉチャネル及びＱチャネルの相関信号を出力する。
パイロット復調部３１のデータ復調部１３４は、逆拡散処理部１３３から出力されたＩチャネル及びＱチャネルの相関信号によりデータ判定を実施して復調データを出力する。
即ち、データ復調部１３４は、スペクトル拡散変調信号の多重数Ｍと直交符号系列の個数２N及び符号化率Ｒを示す制御情報を復調データとして伝送速度判定部２６に出力する。
なお、逆拡散処理部１３３からは、Ｉチャネル及びＱチャネルの相関信号を回線品質測定用の受信情報として回線品質測定部２５に出力される。
【０１３２】
基地局２のパイロット変調部３２は、上記実施の形態３と同様にして、マルチレート制御部２７がスペクトル拡散変調信号の多重数Ｍと直交符号系列の個数２N及び符号化率Ｒを決定すると、そのスペクトル拡散変調信号の多重数Ｍと直交符号系列の個数２N及び符号化率Ｒを示す制御情報を変調する。
そして、その変調信号であるパイロット変調信号を変調部２９に出力して、そのパイロット変調信号を送信データの変調信号に多重化させる。
基地局２におけるその他の処理内容は、上記実施の形態３と同様であるため説明を省略する。
【０１３３】
以上で明らかなように、この実施の形態８によれば、パイロット信号を利用して、マルチレート制御を行うための制御情報を付加するように構成したので、例えば、図１の情報付加部１６や情報分離部１４が不要になり、フレームフォーマットを簡素化することができる効果を奏する。また、パイロット信号を利用することにより、マルチレート化による多重数に依存しない構成で、初期捕捉や回線品質測定を行うことができるため、これらの回路を簡易な構成で実現することができる効果を奏する。
【０１３４】
実施の形態９．
上記実施の形態６では、パイロット変調部２０を移動局１に搭載することにより、パイロット信号を利用して、マルチレート制御を行うための制御情報を付加するものについて示したが、図１８に示すように、上記実施の形態４の構成（図８を参照）に、図１２と同様のパイロット変調部２０を移動局１に搭載するようにすれば（移動局１の全体構成は図１１と同じ）、上記実施の形態６と同様に、図１の情報付加部１６や情報分離部１４が不要になり、フレームフォーマットを簡素化することができる効果を奏する。
【０１３５】
また、上記実施の形態６では、パイロット変調部３１を基地局２に搭載することにより、パイロット信号を利用して、マルチレート化による多重数に依存しない構成で、初期捕捉や回線品質測定を行うものについて示したが、図１９に示すように、上記実施の形態４の構成（図９を参照）に、図１３と同様のパイロット変調部３１を基地局２に搭載するようにすれば（基地局１の全体構成は図１１と同じ）、上記実施の形態６と同様に、マルチレート化による多重数に依存しない構成で、初期捕捉や回線品質測定を行うことができる効果を奏する。
【０１３６】
具体的には下記の通りである。
移動局１のパイロット復調部１９は、上記実施の形態４と同様にして、受信部１２が無線周波数信号をベースバンド信号に変換すると、そのベースバンド信号からパイロット変調信号を抽出して復調する。パイロット変調信号は、スペクトル拡散変調信号の多重数Ｍと拡散符号系列の個数２N及び符号化率Ｒを示す制御情報が変調された信号であり、基地局２のパイロット変調部３２により生成される。
【０１３７】
移動局１のマルチレート制御部１５ａは、パイロット復調部１９からパイロット変調信号を受けると、そのパイロット信号から制御情報を抽出する。
そして、その制御情報を参照して、２N個の拡散符号系列を決定し、２N個の拡散符号系列とスペクトル拡散変調信号の多重数Ｍ及び符号化率Ｒとをマルチレート変調部１７に出力する。
即ち、マルチレート制御部１５ａは、マルチレート変調部１７が図８に示すように拡散符号選択部１０３−１〜１０３−Ｍを搭載しているので、２N個の拡散符号系列とスペクトル拡散変調信号の多重数Ｍ及び符号化率Ｒとをマルチレート変調部１７に出力する。
【０１３８】
移動局１のパイロット変調部２０は、マルチレート制御部１５ａにより抽出された制御情報をスペクトル拡散変調し、その変調信号をパイロット変調信号としてマルチレート変調部１７の多重数可変合成部５９に出力し、そのパイロット変調信号を多重スペクトル拡散変調信号に合成させるようにする。
具体的には次の通りである。
【０１３９】
パイロット変調部２０の拡散符号発生部１２１は、拡散符号発生部５５から出力される拡散符号系列とは異なる系列であって、チップ周期がＴｃで符号長がＧの拡散符号系列を繰り返し出力する。
パイロット変調部２０の拡散変調部１２２は、マルチレート制御部１５ａにより抽出された制御情報を受けると、その制御情報を含むデータ系列と、拡散符号発生部１２１から出力された拡散符号系列とを乗算してスペクトル拡散変調を行う。
パイロット変調部２０のレベル調整部１２３は、拡散変調部１２２からスペクトル拡散変調信号であるパイロット変調信号を受けると、そのパイロット変調信号の送信電力レベルを調整し、レベル調整後のパイロット変調信号を多重数可変合成部５９に出力する。
【０１４０】
マルチレート変調部１７の多重数可変合成部５９は、上記実施の形態４と同様にして、移相部５８−１〜５８−ＭからＭ個のスペクトル拡散変調信号を受け、パイロット変調部２０のレベル調整部１２３からパイロット変調信号を受けると、Ｍ個のスペクトル拡散変調信号とパイロット変調信号を合成して多重スペクトル拡散変調信号を出力する。
移動局１におけるその他の処理内容は、上記実施の形態４と同様であるため説明を省略する。
【０１４１】
基地局２のパイロット復調部３１は、上記実施の形態４と同様にして、受信部２２がＩチャネル及びＱチャネルの受信ベースバンド信号を検出して出力すると、Ｉチャネル及びＱチャネルの受信ベースバンド信号からパイロット変調信号を抽出して復調し、そのパイロット変調信号から制御情報を抽出して伝送速度判定部２６に出力するとともに、そのパイロット変調信号から回線品質測定用の受信情報を抽出して回線品質測定部２５に出力する。
具体的には次の通りである。
【０１４２】
パイロット復調部３１の初期捕捉部１３１は、直交検波部７３から出力されたＩチャネル及びＱチャネルの受信ベースバンド信号からパイロット信号を抽出し、そのパイロット信号を用いて初期捕捉動作を実施して、移動局１の拡散符号選択部１０３−１〜１０３−Ｍにより選択された拡散符号系列の符号同期のタイミングを獲得する。
パイロット復調部３１の拡散符号発生部１３２は、移動局１の拡散符号発生部１２１から出力される拡散符号系列と同一の符号系列、即ち、チップ周期がＴｃで符号長Ｇの拡散符号系列を繰り返し出力する。
【０１４３】
パイロット復調部３１の逆拡散処理部１３３は、Ｉチャネル及びＱチャネルの受信ベースバンド信号に多重化されているパイロット信号と、拡散符号発生部１３２から出力される拡散符号系列とを乗算して相関処理を実施し、Ｉチャネル及びＱチャネルの相関信号を出力する。
パイロット復調部３１のデータ復調部１３４は、逆拡散処理部１３３から出力されたＩチャネル及びＱチャネルの相関信号によりデータ判定を実施して復調データを出力する。
即ち、データ復調部１３４は、スペクトル拡散変調信号の多重数Ｍと拡散符号系列の個数２N及び符号化率Ｒを示す制御情報を復調データとして伝送速度判定部２６に出力する。
なお、逆拡散処理部１３３からは、Ｉチャネル及びＱチャネルの相関信号を回線品質測定用の受信情報として回線品質測定部２５に出力される。
【０１４４】
基地局２のパイロット変調部３２は、上記実施の形態４と同様にして、マルチレート制御部２７がスペクトル拡散変調信号の多重数Ｍと拡散符号系列の個数２N及び符号化率Ｒを決定すると、そのスペクトル拡散変調信号の多重数Ｍと拡散符号系列の個数２N及び符号化率Ｒを示す制御情報を変調する。
そして、その変調信号であるパイロット変調信号を変調部２９に出力して、そのパイロット変調信号を送信データの変調信号に多重化させる。
基地局２におけるその他の処理内容は、上記実施の形態４と同様であるため説明を省略する。
【０１４５】
以上で明らかなように、この実施の形態９によれば、パイロット信号を利用して、マルチレート制御を行うための制御情報を付加するように構成したので、例えば、図１の情報付加部１６や情報分離部１４が不要になり、フレームフォーマットを簡素化することができる効果を奏する。また、パイロット信号を利用することにより、マルチレート化による多重数に依存しない構成で、初期捕捉や回線品質測定を行うことができるため、これらの回路を簡易な構成で実現することができる効果を奏する。
【０１４６】
実施の形態１０．
上記実施の形態６では、パイロット変調部３１を基地局２に搭載することにより、パイロット信号を利用して、マルチレート化による多重数に依存しない構成で、初期捕捉や回線品質測定を行うものについて示したが、図２０に示すように、上記実施の形態５の構成（図１０を参照）に、図１３と同様のパイロット変調部３１を基地局２に搭載するようにすれば（基地局１の全体構成は図１１と同じ）、上記実施の形態６と同様に、マルチレート化による多重数に依存しない構成で、初期捕捉や回線品質測定を行うことができる効果を奏する。
【０１４７】
具体的には下記の通りである。
ただし、移動局１における処理内容は、上記実施の形態６〜９と同様であるため説明を省略する。
基地局２のパイロット復調部３１は、上記実施の形態５と同様にして、受信部２２がＩチャネル及びＱチャネルの受信ベースバンド信号を検出して出力すると、Ｉチャネル及びＱチャネルの受信ベースバンド信号からパイロット変調信号を抽出して復調し、そのパイロット変調信号から制御情報を抽出して伝送速度判定部２６に出力するとともに、そのパイロット変調信号から回線品質測定用の受信情報を抽出して回線品質測定部２５に出力する。
具体的には次の通りである。
【０１４８】
パイロット復調部３１の初期捕捉部１３１は、直交検波部７３から出力されたＩチャネル及びＱチャネルの受信ベースバンド信号からパイロット信号を抽出し、そのパイロット信号を用いて初期捕捉動作を実施して、移動局１の拡散変調部５６−１〜５６−Ｍにより乗算された拡散符号系列の符号同期のタイミングを獲得する。
パイロット復調部３１の拡散符号発生部１３２は、移動局１の拡散符号発生部１２１から出力される拡散符号系列と同一の符号系列、即ち、チップ周期がＴｃで符号長Ｇの拡散符号系列を繰り返し出力する。
【０１４９】
パイロット復調部３１の逆拡散処理部１３３は、Ｉチャネル及びＱチャネルの受信ベースバンド信号に多重化されているパイロット信号と、拡散符号発生部１３２から出力される拡散符号系列とを乗算して相関処理を実施し、Ｉチャネル及びＱチャネルの相関信号を出力する。
パイロット復調部３１のデータ復調部１３４は、逆拡散処理部１３３から出力されたＩチャネル及びＱチャネルの相関信号によりデータ判定を実施して復調データを出力する。
即ち、データ復調部１３４は、スペクトル拡散変調信号の多重数Ｍと直交符号系列又は拡散符号系列の個数２N及び符号化率Ｒを示す制御情報を復調データとして伝送速度判定部２６に出力する。
なお、逆拡散処理部１３３からは、Ｉチャネル及びＱチャネルの相関信号を回線品質測定用の受信情報として回線品質測定部２５に出力される。
【０１５０】
基地局２のパイロット変調部３２は、上記実施の形態５と同様にして、マルチレート制御部２７がスペクトル拡散変調信号の多重数Ｍと直交符号系列又は拡散符号系列の個数２N及び符号化率Ｒを決定すると、そのスペクトル拡散変調信号の多重数Ｍと直交符号系列又は拡散符号系列の個数２N及び符号化率Ｒを示す制御情報を変調する。
そして、その変調信号であるパイロット変調信号を変調部２９に出力して、そのパイロット変調信号を送信データの変調信号に多重化させる。
基地局２におけるその他の処理内容は、上記実施の形態５と同様であるため説明を省略する。
【０１５１】
以上で明らかなように、この実施の形態１０によれば、パイロット信号を利用することにより、マルチレート化による多重数に依存しない構成で、初期捕捉や回線品質測定を行うことができるため、これらの回路を簡易な構成で実現することができる効果を奏する。
【０１５２】
実施の形態１１．
図２１はこの発明の実施の形態１１による通信システムを示す構成図であり、図において、図１１と同一符号は同一または相当部分を示すので説明を省略する。
移動局１の姿勢・位置情報検出部１４１は移動局１の姿勢及び位置を検出して、その検出信号を出力する。
移動局１のパイロット変調部１４２はマルチレート制御部１５ａにより抽出された制御情報と、姿勢・位置情報検出部１４１から出力された検出信号とからなる系列をスペクトル拡散変調する。パイロット変調部１４２の内部構成は図１１のパイロット変調部２０と同じでよい。
なお、姿勢・位置情報検出部１４１及びパイロット変調部１４２からパイロット変調手段が構成されている。
【０１５３】
基地局２の伝送速度判定部１４３は図１の伝送速度判定部２６と同様にして移動局１の送信側の伝送速度の最大値を判別するが、パイロット復調部３１がパイロット信号から制御情報の他に、移動局１の姿勢及び位置を示す検出信号を抽出すると、移動局１の姿勢と位置を考慮して、基地局２側で所要の伝送品質を満足することができる移動局１の送信側の伝送速度の最大値を判別する。なお、伝送速度判定部１４３はマルチレート制御手段を構成している。
【０１５４】
次に動作について説明する。
この実施の形態１１では、姿勢・位置情報検出部１４１が移動局１に搭載されている点が上記実施の形態６と相違している。
移動局１の姿勢・位置情報検出部１４１は、移動局１の姿勢及び位置を検出して、その検出信号を出力する。
移動局１のパイロット変調部１４２は、マルチレート制御部１５ａにより抽出された制御情報と、姿勢・位置情報検出部１４１から出力された検出信号とを含むデータ系列をスペクトル拡散変調し、そのスペクトル拡散変調信号をパイロット変調信号として出力する。
移動局１におけるその他の処理内容は、上記実施の形態６と同様であるため説明を省略する。
【０１５５】
基地局２の伝送速度判定部１４３は、図１の伝送速度判定部２６と同様にして、移動局１の送信側の伝送速度の最大値を判別するが、パイロット復調部３１がパイロット信号からの制御情報の他に、移動局１の姿勢及び位置を示す検出信号を抽出すると、移動局１の姿勢と位置を考慮して、基地局２側で所要の伝送品質を満足することができる移動局１の送信側の伝送速度の最大値を判別する。
基地局２におけるその他の処理内容は、上記実施の形態６と同様であるため説明を省略する。
【０１５６】
以上で明らかなように、この実施の形態１１によれば、移動局１の姿勢と位置を考慮して、基地局２側で所要の伝送品質を満足することができる移動局１の送信側の伝送速度の最大値を判別するように構成したので、回線品質だけで伝送速度の最大値を判別する場合よりも、精度よく伝送速度の切替を実現することができる効果を奏する。
【０１５７】
実施の形態１２．
図２２はこの発明の実施の形態１２による通信システムを示す構成図であり、図において、図１１と同一符号は同一または相当部分を示すので説明を省略する。
移動局１のパイロット復調部１９は受信部１２から出力されたベースバンド信号よりパイロット変調信号を抽出して復調するパイロット信号抽出手段を構成している。
移動局１の伝送速度判定部２６ａはパイロット復調部１９から出力された制御情報と回線品質情報を参照して、基地局２側で所要の伝送品質を満足することができる移動局１の送信側の伝送速度の最大値を判別する。
移動局１のマルチレート制御部１５ａは伝送速度判定部２６ａから判別された伝送速度の最大値から２N個の直交符号系列又は拡散符号系列を決定し、２N個の直交符号系列又は拡散符号系列とスペクトル拡散変調信号の多重数Ｍ及び符号化率Ｒを決定してマルチレート変調部１７に出力する。なお、伝送速度判定部２６ａ及びマルチレート制御部１５ａからマルチレート決定手段が構成されている。
移動局１のパイロット変調部２０はパイロット信号に含まれている制御情報をスペクトル拡散変調し、その変調信号をパイロット変調信号としてマルチレート変調部１７に出力し、そのパイロット変調信号を多重スペクトル拡散変調信号に合成させるパイロット変調手段を構成している。
【０１５８】
基地局２のパイロット復調部３１は受信部２２から出力された多重スペクトル拡散変調信号よりパイロット変調信号を抽出して復調し、そのパイロット信号からスペクトル拡散変調信号の多重数Ｍと直交符号系列又は拡散符号系列の個数２Nと符号化率Ｒを示す制御情報を抽出してマルチレート復調部２３及びマルチレート制御部２７に出力するとともに、そのパイロット信号から回線品質測定用の受信情報を抽出して回線品質測定部２５に出力するパイロット復調手段を構成している。
基地局２の回線品質測定部２５はパイロット復調部３１から出力された回線品質測定用の受信情報から無線周波数信号の回線品質を測定し、その測定結果を示す回線品質情報をパイロット変調部３２に出力する回線品質測定手段を構成している。
【０１５９】
基地局２のマルチレート制御部２７はパイロット復調部３１から出力された制御情報が示すスペクトル拡散変調信号の多重数Ｍと直交符号系列又は拡散符号系列の個数２Nと符号化率Ｒとに基づいて、マルチレート復調部２３を制御するとともに、その制御情報をパイロット変調部３２に出力する。
基地局２のパイロット変調部３２はマルチレート制御部２７から出力された制御情報と回線品質測定部２５から出力された回線品質情報を変調するとともに、その変調信号であるパイロット変調信号を変調部２９に出力する変調手段を構成している。
【０１６０】
次に動作について説明する。
この実施の形態１２では、伝送速度判定部２６ａが移動局１に搭載されている点が上記実施の形態６〜１１と相違している。
移動局１のパイロット復調部１９は、受信部１２から出力されたベースバンド信号よりパイロット変調信号を抽出して復調し、そのパイロット信号を出力する。
移動局１の伝送速度判定部２６ａは、パイロット復調部１９からパイロット信号を受けると、そのパイロット信号に含まれている制御情報（スペクトル拡散変調信号の多重数Ｍ、直交符号系列又は拡散符号系列の個数２N、及び符号化率Ｒを示す情報）と回線品質情報（無線周波数信号の回線品質を示す情報）を抽出し、その制御情報と回線品質情報を参照して、基地局２側で所要の伝送品質を満足することができる移動局１の送信側の伝送速度の最大値を判別する。
【０１６１】
移動局１のマルチレート制御部１５ａは、伝送速度判定部２６ａが移動局１の送信側の伝送速度の最大値を判別すると、その最大値に応じて２N個の直交符号系列又は拡散符号系列を決定するとともに、スペクトル拡散変調信号の多重数Ｍ及び符号化率Ｒを決定し、その決定結果をマルチレート変調部１７に出力する。
移動局１のパイロット変調部２０は、マルチレート制御部１５ａからパイロット信号に含まれている制御情報を受けると、その制御情報をスペクトル拡散変調し、その変調信号をパイロット変調信号としてマルチレート変調部１７に出力する。
マルチレート変調部１７は、マルチレート制御部１５ａから出力された決定結果にしたがって、送信データを変調してスペクトル拡散変調信号を生成するとともに、パイロット変調部２０から出力されたパイロット変調信号を当該スペクトル拡散変調信号に合成して、多重スペクトル拡散変調信号を送信部１８に出力する。
移動局１におけるその他の処理内容は、上記実施の形態６〜１１と同様であるため説明を省略する。
【０１６２】
基地局２のパイロット復調部３１は、受信部２２から多重スペクトル拡散変調信号を受けると、その多重スペクトル拡散変調信号からパイロット変調信号を抽出して復調し、そのパイロット信号から制御情報を抽出してマルチレート復調部２３及びマルチレート制御部２７に出力するとともに、そのパイロット信号から回線品質測定用の受信情報を抽出して回線品質測定部２５に出力する。
基地局２の回線品質測定部２５は、パイロット復調部３１から回線品質測定用の受信情報を受けると、その回線品質測定用の受信情報から無線周波数信号の回線品質を測定し、その測定結果を示す回線品質情報をパイロット変調部３２に出力する。
【０１６３】
基地局２のマルチレート制御部２７は、パイロット復調部３１から出力された制御情報を受けると、その制御情報が示すスペクトル拡散変調信号の多重数Ｍと直交符号系列又は拡散符号系列の個数２Nと符号化率Ｒとに基づいて、マルチレート復調部２３を制御する一方、その制御情報をパイロット変調部３２に出力する。
マルチレート復調部２３は、マルチレート制御部２７の制御の下、受信部２２から出力された多重スペクトル拡散変調信号を復調して、シリアルの復号データを出力する。
【０１６４】
基地局２のパイロット変調部３２は、マルチレート制御部２７から制御情報を受け、回線品質測定部２５から回線品質情報を受けると、その制御情報と回線品質情報を変調し、その変調信号であるパイロット変調信号を変調部２９に出力する。
基地局２におけるその他の処理内容は、上記実施の形態６〜１１と同様であるため説明を省略する。
【０１６５】
以上で明らかなように、この実施の形態１２によれば、伝送速度の最大値を判別する伝送速度判定部２６ａを移動局１に搭載するように構成したので、移動局１側で伝送速度の最大値を判別して、伝送速度を決定することが可能となる効果を奏する。
【図面の簡単な説明】
【０１６６】
【図１】この発明の実施の形態１による通信システムを示す構成図である。
【図２】この発明の実施の形態１による移動局におけるスペクトル拡散通信装置の要部詳細を示す構成図である。
【図３】この発明の実施の形態１による基地局におけるスペクトル拡散通信装置の要部詳細を示す構成図である。
【図４】この発明の実施の形態２による移動局におけるスペクトル拡散通信装置の要部詳細を示す構成図である。
【図５】この発明の実施の形態２による基地局におけるスペクトル拡散通信装置の要部詳細を示す構成図である。
【図６】この発明の実施の形態３による移動局におけるスペクトル拡散通信装置の要部詳細を示す構成図である。
【図７】この発明の実施の形態３による基地局におけるスペクトル拡散通信装置の要部詳細を示す構成図である。
【図８】この発明の実施の形態４による移動局におけるスペクトル拡散通信装置の要部詳細を示す構成図である。
【図９】この発明の実施の形態４による基地局におけるスペクトル拡散通信装置の要部詳細を示す構成図である。
【図１０】この発明の実施の形態５による基地局におけるスペクトル拡散通信装置の要部詳細を示す構成図である。
【図１１】この発明の実施の形態６による通信システムを示す構成図である。
【図１２】この発明の実施の形態６による移動局におけるスペクトル拡散通信装置の要部詳細を示す構成図である。
【図１３】この発明の実施の形態６による基地局におけるスペクトル拡散通信装置の要部詳細を示す構成図である。
【図１４】この発明の実施の形態７による移動局におけるスペクトル拡散通信装置の要部詳細を示す構成図である。
【図１５】この発明の実施の形態７による基地局におけるスペクトル拡散通信装置の要部詳細を示す構成図である。
【図１６】この発明の実施の形態８による移動局におけるスペクトル拡散通信装置の要部詳細を示す構成図である。
【図１７】この発明の実施の形態８による基地局におけるスペクトル拡散通信装置の要部詳細を示す構成図である。
【図１８】この発明の実施の形態９による移動局におけるスペクトル拡散通信装置の要部詳細を示す構成図である。
【図１９】この発明の実施の形態９による基地局におけるスペクトル拡散通信装置の要部詳細を示す構成図である。
【図２０】この発明の実施の形態１０による基地局におけるスペクトル拡散通信装置の要部詳細を示す構成図である。
【図２１】この発明の実施の形態１１による通信システムを示す構成図である。
【図２２】この発明の実施の形態１２による通信システムを示す構成図である。
【符号の説明】
【０１６７】
１  移動局（第１のスペクトル拡散通信装置）、２  基地局（第２のスペクトル拡散通信装置）、１１  アンテナ、１２  受信部（受信手段）、１３  復調部（復調手段）、１４  情報分離部（情報抽出手段）、１５  マルチレート制御部（マルチレート決定手段）、１５ａ  マルチレート制御部（マルチレート決定手段）、１６  情報付加部（マルチレート決定手段）、１７  マルチレート変調部、１８  送信部（送信手段）、１９  パイロット復調部（パイロット信号抽出手段）、２０  パイロット変調部（パイロット変調手段）、２１  アンテナ、２２  受信部（受信手段）、２３  マルチレート復調部、２４  情報分離部（マルチレート制御手段）、２５  回線品質測定部（マルチレート制御手段、回線品質測定手段）、２６  伝送速度判定部（マルチレート制御手段）、２６ａ  伝送速度判定部（マルチレート決定手段）、２７  マルチレート制御部（マルチレート制御手段）、２８  情報付加部（変調手段）、２９  変調部（変調手段）、３０  送信部（送信手段）、３１  パイロット復調部（マルチレート制御手段、パイロット復調手段）、３２  パイロット変調部（変調手段）、４１  多重数制御部、４２  直交符号数制御部、４３  符号化率制御部、５１  可変シリアル／パラレル変換部（第１のＳ／Ｐ変換手段）、５２−１〜５２−Ｍ  符号化部（符号化処理手段）、５２ａ−１〜５２ａ−Ｊ  符号化部（符号化処理手段）、５３−１〜５３−Ｍ  Ｓ／Ｐ部（第２のＳ／Ｐ変換手段）、５３−１〜５３−Ｊ  Ｓ／Ｐ部（第２のＳ／Ｐ変換手段）、５４−１〜５４−Ｍ  直交符号選択部（直交符号選択手段）、５４−１（１）〜５４−Ｈ（１），５４−１（２）〜５４−Ｈ（２），・・・，５４−１（Ｊ）〜５４−Ｈ（Ｊ）  直交符号選択部（直交符号選択手段）、５５  拡散符号発生部（遅延手段）、５６−１〜５６−Ｍ  拡散変調部（遅延手段）、５６−１（１）〜５６−Ｈ（１），５６−１（２）〜５６−Ｈ（２），・・・，５６−１（Ｊ）〜５６−Ｈ（Ｊ）  拡散変調部（遅延手段）、５７−１〜５７−Ｍ  遅延生成部（遅延手段）、５７−１（１）〜５７−Ｈ（１），５７−１（２）〜５７−Ｈ（２），・・・，５７−１（Ｊ）〜５７−Ｈ（Ｊ）  遅延生成部（遅延手段）、５８−１〜５８−Ｍ  移相部（遅延手段）、５８−１（１）〜５８−Ｈ（１），５８−１（２）〜５８−Ｈ（２），・・・，５８−１（Ｊ）〜５８−Ｈ（Ｊ）  移相部（遅延手段）、５９  多重数可変合成部（合成手段）、６１  周波数変換部、６２  電力増幅部、７１  低雑音増幅部、７２  周波数変換部、７３  直交検波部、８１  初期捕捉部、８２  拡散符号発生部、８３  多重数可変分配部（分配手段）、８４−１〜８４−Ｍ  遅延補正部（補正手段）、８４−１（１）〜８４−Ｈ（１），８４−１（２）〜８４−Ｈ（２），・・・，８４−１（Ｊ）〜８４−Ｈ（Ｊ）  遅延補正部（補正手段）、８５−１〜８５−Ｍ  移相補正部（補正手段）、８５−１（１）〜８５−Ｈ（１），８５−１（２）〜８５−Ｈ（２），・・・，８５−１（Ｊ）〜８５−Ｈ（Ｊ）  移相補正部（補正手段）、８６−１〜８６−Ｍ  部分相関処理部（相関処理手段）、８６−１（１）〜８６−Ｈ（１），８６−１（２）〜８６−Ｈ（２），・・・，８６−１（Ｊ）〜８６−Ｈ（Ｊ）  部���相関処理部（相関処理手段）、８７−１〜８７−Ｍ  逆直交変換部（相関処理手段）、８７−１（１）〜８７−Ｈ（１），８７−１（２）〜８７−Ｈ（２），・・・，８７−１（Ｊ）〜８７−Ｈ（Ｊ）  逆直交変換部（相関処理手段）、８８−１〜８８−Ｍ  復号化部（復号化処理手段）、８８ａ−１〜８８ａ−Ｊ  復号化部（復号化処理手段）、８９  可変パラレル／シリアル変換部（第２のＰ／Ｓ変換手段）、９０−１〜９０−Ｊ  Ｐ／Ｓ部（第１のＰ／Ｓ変換手段）、９１  多重数制御部、９２  直交符号数制御部、９３  符号化率制御部、１０１−１〜１０１−Ｍ  周波数偏差付加部（周波数偏差付与手段）、１１１−１〜１１１−Ｍ  周波数偏差補正部（補正手段）、１０２  拡散符号数制御部、１０３−１〜１０３−Ｍ  拡散符号選択部（拡散符号選択手段）、１１２  拡散符号数制御部、１１３  拡散符号発生部、１１４−１〜１１４−Ｍ  相関処理部（相関処理手段）、１１５−１〜１１５−Ｍ  復号化部（復号化処理手段）、１１６  相関ピーク数検出部、１１７  多重数制御部、１２１  拡散符号発生部、１２２  拡散変調部、１２３  レベル調整部、１３１  初期捕捉部、１３２  拡散符号発生部、１３３  逆拡散処理部、１３４  データ復調部、１４１  姿勢・位置情報検出部（パイロット変調手段）、１４２  パイロット変調部（パイロット変調手段）、１４３  伝送速度判定部（マルチレート制御手段）。
【図１】
2006238016.tif 000003
【図２】
2006238016.tif 000004
【図３】
2006238016.tif 000005
【図４】
2006238016.tif 000006
【図５】
2006238016.tif 000007
【図６】
2006238016.tif 000008
【図７】
2006238016.tif 000009
【図８】
2006238016.tif 000010
【図９】
2006238016.tif 000011
【図１０】
2006238016.tif 000012
【図１１】
2006238016.tif 000013
【図１２】
2006238016.tif 000014
【図１３】
2006238016.tif 000015
【図１４】
2006238016.tif 000016
【図１５】
2006238016.tif 000017
【図１６】
2006238016.tif 000018
【図１７】
2006238016.tif 000019
【図１８】
2006238016.tif 000020
【図１９】
2006238016.tif 000021
【図２０】
2006238016.tif 000022
【図２１】
2006238016.tif 000023
【図２２】
2006238016.tif 000024